(57)【要約】【課題】信号処理の順序や組み換えを簡単に変更することができるようにする。【解決手段】信号処理部１２乃至１４の制御Ｉ／Ｆ２１乃至４１は、ＩＰ変換回路２２、ＲＧＢ色変換回路３２および高画質信号処理回路４２が各種信号処理を実行するために必要な制御パラメータに関するポート属性情報を有している。テレビジョン受像機１の信号処理部１２乃至１４が再構築された場合、制御部１１は、テレビジョン受像機１全体の信号処理部１２乃至１４のポート属性情報を取得し、記憶部１７に記憶する。これにより、制御部１１は、テレビジョン受像機１全体の制御構成を把握し、信号処理部１２乃至１４を制御することができる。本発明は、放送信号を、高画質な信号に処理するテレビジョン受像機に適用することができる。【選択図】      図１
2004247992.tif 000002
【特許請求の範囲】
【請求項１】
自身が行う信号処理の制御に関する制御情報を保持し、所定の制御信号に対応する信号処理を実行する信号処理手段から、前記制御情報を取得する取得手段と、
前記取得手段により取得された前記制御情報に基づいて、前記制御信号を前記信号処理手段に送信する制御手段と
を備えることを特徴とする信号処理装置。
【請求項２】
前記制御情報は、前記信号処理手段を識別するためのＩＤ、前記制御信号を入力する前記信号処理手段のポートアドレス、前記制御信号を送信する送信タイミング情報、または、前記信号処理の制御の値の範囲である
ことを特徴とする請求項１に記載の信号処理装置。
【請求項３】
前記信号処理手段は、着脱可能である
ことを特徴とする請求項１に記載の信号処理装置。
【請求項４】
前記制御手段は、前記制御情報に基づいて、前記制御信号を送信する送信タイミングが、前記信号処理手段に入力される入力信号の同期信号である場合、前記入力信号の同期信号に合わせて、前記制御信号を前記信号処理手段に送信する
ことを特徴とする請求項１に記載の信号処理装置。
【請求項５】
前記制御手段は、前記制御情報に基づいて、前記制御信号を送信する送信タイミングが、ユーザからの指示を入力する入力手段からの指示信号である場合、前記指示信号に合わせて、前記制御信号を前記信号処理手段に送信する
ことを特徴とする請求項１に記載の信号処理装置。
【請求項６】
前記信号処理手段により前記信号処理が実行されたことを示す処理結果情報を受信する受信手段
をさらに備えることを特徴とする請求項１に記載の信号処理装置。
【請求項７】
自身が行う信号処理の制御に関する制御情報を保持し、所定の制御信号に対応する信号処理を実行する信号処理手段から、前記制御情報を取得する取得ステップと、
前記取得ステップの処理により取得された前記制御情報に基づいて、前記制御信号を前記信号処理手段に送信する制御ステップと
を含むことを特徴とする信号処理方法。
【請求項８】
自身が行う信号処理の制御に関する制御情報を保持し、所定の制御信号に対応する信号処理を実行する信号処理手段から、前記制御情報を取得する取得ステップと、
前記取得ステップの処理により取得された前記制御情報に基づいて、前記制御信号を前記信号処理手段に送信する制御ステップと
を含むことを特徴とするコンピュータが読み取り可能なプログラムが記録されている記録媒体。
【請求項９】
自身が行う信号処理の制御に関する制御情報を保持し、所定の制御信号に対応する信号処理を実行する信号処理手段から、前記制御情報を取得する取得ステップと、
前記取得ステップの処理により取得された前記制御情報に基づいて、前記制御信号を前記信号処理手段に送信する制御ステップと
を含む処理をコンピュータに実行させることを特徴とするプログラム。
【発明の詳細な説明】
【０００１】
【発明の属する技術分野】
本発明は、信号処理装置および方法、記録媒体、並びにプログラムに関し、特に、複数の信号処理の順序や組み換えを簡単に変更することができるようにした信号処理装置および方法、記録媒体、並びにプログラムに関する。
【０００２】
【従来の技術】
従来の画像信号または音声信号を処理する複数の信号処理部を有する信号処理装置では、画像信号または音声信号の経路は、固定であり、制御信号（制御パラメータ）は、信号処理装置を制御する制御部より各信号処理部に、画像信号または音声信号とは別に送信される。
【０００３】
したがって、一旦構成された各信号処理部における信号処理内容を変更する場合、制御部の各種設定を変更し、さらに、各信号処理部の各種設定を変更することにより、ようやく信号処理装置は、信号処理を実行できるようになる。また、一旦構成された複数の信号処理部の信号処理の順番を変更する場合も同様に、制御部の各種設定を変更し、さらに、各信号処理部の各種設定を変更することにより、ようやく信号処理装置は、信号処理を実行できるようになる。
【０００４】
【発明が解決しようとする課題】
以上のように、従来の信号処理装置においては、信号処理部の内容または順番を変更することは、制御部自体を含めた信号処理装置全体の各種設定を変更しなければならず、非常に手間がかかる作業を要するといった課題があった。したがって、一度構成された信号処理の順番を簡単に変更したり、新しい信号処理部を追加するなどの変更をすることは、困難であるといった課題があった。
【０００５】
本発明はこのような状況に鑑みてなされたものであり、複数の信号処理の順序や組み換えを簡単に変更することができるようにするものである。
【０００６】
【課題を解決するための手段】
本発明の信号処理装置は、自身が行う信号処理の制御に関する制御情報を保持し、所定の制御信号に対応する信号処理を実行する信号処理手段から、制御情報を取得する取得手段と、取得手段により取得された制御情報に基づいて、制御信号を信号処理手段に送信する制御手段とを備えることを特徴とする。
【０００７】
制御情報は、信号処理手段を識別するためのＩＤ、制御信号を入力する信号処理手段のポートアドレス、制御信号を送信する送信タイミング情報、または、信号処理の制御の値の範囲であるようにすることができる。
【０００８】
信号処理手段は、着脱可能であるようにすることができる。
【０００９】
制御手段は、制御情報に基づいて、制御信号を送信する送信タイミングが、信号処理手段に入力される入力信号の同期信号である場合、入力信号の同期信号に合わせて、制御信号を信号処理手段に送信するようにすることができる。
【００１０】
制御手段は、制御情報に基づいて、制御信号を送信する送信タイミングが、ユーザからの指示を入力する入力手段からの指示信号である場合、指示信号に合わせて、制御信号を信号処理手段に送信するようにすることができる。
【００１１】
信号処理手段により信号処理が実行されたことを示す処理結果情報を受信する受信手段をさらに備えるようにすることができる。
【００１２】
本発明の信号処理方法は、自身が行う信号処理の制御に関する制御情報を保持し、所定の制御信号に対応する信号処理を実行する信号処理手段から、制御情報を取得する取得ステップと、取得ステップの処理により取得された制御情報に基づいて、制御信号を信号処理手段に送信する制御ステップとを含むことを特徴とする。
【００１３】
本発明のプログラムの記録媒体は、自身が行う信号処理の制御に関する制御情報を保持し、所定の制御信号に対応する信号処理を実行する信号処理手段から、制御情報を取得する取得ステップと、取得ステップの処理により取得された制御情報に基づいて、制御信号を信号処理手段に送信する制御ステップとを含むことを特徴とする。
【００１４】
本発明のプログラムは、自身が行う信号処理の制御に関する制御情報を保持し、所定の制御信号に対応する信号処理を実行する信号処理手段から、制御情報を取得する取得ステップと、取得ステップの処理により取得された制御情報に基づいて、制御信号を信号処理手段に送信する制御ステップとを含むことを特徴とする。
【００１５】
本発明においては、自身が行う信号処理の制御に関する制御情報を保持し、所定の制御信号に対応する信号処理を実行する信号処理手段から、制御情報が取得され、取得された制御情報に基づいて、制御信号が信号処理手段に送信される。
【００１６】
【発明の実施の形態】
以下、図を参照して本発明の実施の形態について説明する。
【００１７】
図１は、本発明を適用した信号処理装置としてのテレビジョン受像機１の構成例を表している。なお、図１においては、省略されているが、テレビジョン受像機１は、放送信号を受信するチューナなど、テレビジョン受像機としての他の機能も有する。
【００１８】
図１の例においては、テレビジョン受像機１は、テレビジョン受像機１全体の動作を制御するための制御部１１と、図示せぬチューナから入力された入力信号（放送信号）に各種信号処理を行う信号処理部群である信号処理部１２乃至１４と、ユーザインターフェースを行う操作部１５および表示部１６、並びに、制御部１１により各種データが記憶される記憶部１７により構成される。テレビジョン受像機１で実行される信号処理は、信号処理部１２乃至１４の３つのブロックに分けられている。また、信号処理部１２乃至１４は、１つの基板上に形成されている。
【００１９】
信号処理部１２は、制御インタフェース（Ｉ／Ｆ）２１およびＩＰ（インタレース、プログレッシブ）変換回路２２により構成される。制御Ｉ／Ｆ２１は、制御部１１からの制御パラメータ（制御信号）を受信し、信号処理回路２２に供給する。信号処理回路２２は、図示せぬチューナから入力された入力信号を、制御Ｉ／Ｆ２１から供給される制御パラメータに基づいて、インタレースの信号からプログレッシブの信号に変換するＩＰ変換処理を実行する。そして、信号処理部１２は、ＩＰ変換した信号を、後段の信号処理部１３に出力する。
【００２０】
信号処理部１３は、制御Ｉ／Ｆ３１およびＲＧＢ色変換回路３２により構成される。制御Ｉ／Ｆ３１は、制御部１１からの制御パラメータを受信し、ＲＧＢ色変換回路３２に供給する。ＲＧＢ色変換回路３２は、信号処理部１２からの入力信号のＲ信号、Ｇ信号およびＢ信号に、制御Ｉ／Ｆ３１からの制御パラメータに基づいて、明るさ調整などの色変換処理を実行する。そして、信号処理部１３は、ＲＧＢ色変換した信号を、後段の信号処理部１４に出力する。
【００２１】
信号処理部１４は、制御Ｉ／Ｆ４１および高画質信号処理回路４２により構成される。制御Ｉ／Ｆ４１は、制御部１１からの制御パラメータを受信し、高画質信号処理回路４２に供給する。高画質信号処理回路４２は、信号処理部１３からの入力信号に、制御Ｉ／Ｆ４１からの制御パラメータに基づいて、例えば、入力信号の解像度変換、ノイズ除去などの高画質信号処理を実行し、高画質信号処理された信号を、図示せぬ後段に出力する。図示せぬ後段においては、信号処理部１２乃至１４において信号処理された信号が表示制御され、図示せぬ他のＬＣＤ（Ｌｉｑｕｉｄ  Ｃｒｙｓｔａｌ  Ｄｉｓｐｌａｙ）などに出力される。このとき、信号処理された信号を表示部１６に表示させるようにしてもよい。
【００２２】
なお、図１の例においては、各信号処理部１２乃至１４には、信号処理を行う信号処理回路が、それぞれＩＰ変換回路２２、ＲＧＢ色変換回路３２および高画質信号処理回路４２の１つずつとしたが、各信号処理部１２乃至１４は、複数の信号処理回路を有するようにしてもよい。
【００２３】
信号処理部１２乃至１４の制御Ｉ／Ｆ２１乃至４１は、それぞれＩＰ変換回路２２、ＲＧＢ色変換回路３２および高画質信号処理回路４２が各種信号処理を実行するために必要な制御（すなわち、ＩＰ変換回路２２、ＲＧＢ色変換回路３２および高画質信号処理回路４２が各種信号処理を実行するために、制御部１１に制御されたい制御）に関するポート属性情報（図３を参照して後述する）を、それらの制御（制御パラメータ）を入力する制御ポート毎に有している。
【００２４】
テレビジョン受像機１において、３つのブロックに分けられて構成された信号処理は、例えば、図１６を参照して後述するが、信号処理部１２乃至１４の順序が入れ替えられたり、所定の信号処理部における信号処理がバージョンアップされたり、または、信号処理部１２乃至１４の３つのブロックの分割や切り換え、追加などのような再構成が実行されることにより、再構築されることがある。なお、図１の例の場合、テレビジョン受像機１において、信号処理部１２乃至１４が１つの基板上に形成されているので、その基板を取り替えることで再構成されるが、変更される信号処理部だけを取り替えて、再構成するようにしてもよい。
【００２５】
信号処理部１２乃至１４が再構築された場合、制御部１１は、テレビジョン受像機１のすべての信号処理部群である信号処理部１２乃至１４のポート属性情報を取得し、記憶部１７に記憶する。これにより、制御部１１は、テレビジョン受像機１全体の再構成およびテレビジョン受像機１すべての信号処理部群を制御するための制御（制御パラメータ）を把握することができる。そして、制御部１１は、記憶したポート属性情報に基づいて、操作部１５を構成する操作キーおよび各種ボタンなどに、信号処理部１２乃至１４実行される処理に対応する制御パラメータを割り当て、表示部１６に表示させる制御パラメータに関する情報を設定する。
【００２６】
表示部１６は、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）などより構成され、制御部１１の制御のもと、制御を行うための制御（操作）パラメータの表示、および、信号処理部１２乃至１４における信号処理の現在のステータス状態または処理結果の表示を行う。ユーザは、表示部１６に表示された制御パラメータなどを参照して、操作部１５を用いて、信号処理部１２乃至１４実行される処理に対応する制御パラメータを指示する。
【００２７】
操作部１５は、操作キー、各種ボタンなどにより構成される。操作部１５は、ユーザの操作に基づいて、信号処理部１２乃至１４において実行される処理の制御パラメータに対応する指示信号を制御部１１に送信する。なお、操作部１５は、例えば、ＵＳＢ（Ｕｎｉｖｅｒｓａｌ  Ｓｅｒｉａｌ  Ｂｕｓ）などによりテレビジョン受像機１に接続されるものであり、他の操作部に取り替えが可能である。また、図１の例においては、操作部１５および表示部１６を、制御部１１に直接接続したが、リモートコントローラなどに設置するようにしてもよい。その場合は、制御部１１には、リモートコントローラの操作部からの指示信号を受信する信号受信部、および、リモートコントローラの表示部に、制御パラメータまたは処理結果などの情報を送信する信号送信部が接続される。
【００２８】
以上のようにして、テレビジョン受像機１において、３つのブロックに分けられて構成された信号処理部群が再構築された場合には、制御部１１は、記憶部１７のポート属性情報に基づいて、ユーザによる操作部１５からの指示信号が、どの信号処理部に出力する制御パラメータに対応するものであるかを認識することができる。したがって、制御部１１は、指示された制御パラメータを、信号処理部１２乃至１４のうちの制御パラメータに対応する信号処理部に送信し、その信号処理部の信号処理を制御することができる。したがって、テレビジョン受像機１においては、信号処理部１２乃至１４により構成された信号処理を簡単に再構成することができる。
【００２９】
なお、上述した制御部１１に制御される制御パラメータとしては、例えば、フィルタ処理においてフィルタをかけるか否かなどの処理のオンオフ、並列する処理の切り替え（後述する図１６のスイッチ２１１の制御）、高輝度においてはフィルタ処理をかけないなどのしきい値の切り替え、フィルタの係数の変更、画像の特徴量のしきい値の変更、処理を行う処理方程式の変数の変更などが挙げられる。また、制御部１１に制御される制御パラメータには、テレビジョン受像機１そのものを制御するための、テレビジョン受像機１のオンオフ、リセット、および初期化などを制御する制御パラメータも含めるようにしてもよい。
【００３０】
図２は、信号処理部１２の詳細な構成例を示している。図２の例において、制御Ｉ／Ｆ２１は、制御部１１とのデータの送受信を実行する通信部１０１、アドレス情報の変換を行うアドレスデコーダ１０２、および制御ポート１０３により構成される。制御Ｉ／Ｆ２１は、ＩＰ変換回路２２において実行される信号処理に必要な制御パラメータ毎に制御ポートを有している。図２の例の場合、制御Ｉ／Ｆ２１は、ＩＰ変換を制御するための制御パラメータを入力する１つの制御ポート１０３だけを有しているが、制御ポートの数は、信号処理に必要な制御（制御パラメータ）の数により異なるため、限定されない。
【００３１】
通信部１０１は、例えば、制御部１１から、制御ポート１０３宛の制御パラメータを受信し、アドレスデコーダ１０２に出力する。アドレスデコーダ１０２は、通信部１０１からの制御パラメータ内のアドレスを、制御Ｉ／Ｆ内２１のアドレスに変換し、制御パラメータを入力する制御ポート１０３を求める。アドレスデコーダ１０２は、通信部１０１からの制御パラメータを、求めた制御ポート１０３に供給する。
【００３２】
制御ポート１０３は、ＩＰ変換回路２２に、アドレスデコーダ１０２からの制御パラメータを送信する。また、制御ポート１０３は、内蔵するメモリに、制御パラメータに対応するポート属性情報を有している。なお、ポート属性情報は、制御Ｉ／Ｆ２１内のメモリに記憶されているようにしてもよい。
【００３３】
図３は、制御ポート１０３が有するポート属性情報を示している。ポート属性情報は、信号処理部ＩＤ、シリアルＩＤ、アドレス、タイミング情報、値域、スイッチ情報、リードライト許可情報、およびコピーリストなどにより構成される。このポート属性情報は、ＩＰ変換回路２２が制御部１１により制御してほしい制御（制御パラメータ）の情報である。
【００３４】
図３の例においては、信号処理ＩＤ「ＡＡ１２」は、信号処理部１２のテレビジョン受像機１内でコード化されたＩＤが「ＡＡ１２」であることを示している。シリアルＩＤ「１」は、同一信号処理部内の開発、生産番号であり、同じ信号処理部において、ＩＰ変換回路２２の他にも、同じ制御パラメータを入力する必要がある信号処理回路が１つ以上あった場合、または、ＩＰ変換回路２２内に、同じ制御パラメータを入力する必要がある機能が複数あった場合、同じ制御パラメータが入力される制御ポートを区別するためのＩＤを示している。図３の場合、制御ポート１０３に入力される制御パラメータと同じ制御パラメータを入力する必要のある他の制御ポートはない。
【００３５】
アドレス「△１」は、制御ポート１０３のアドレスが「△１」であることを示している。タイミング情報「指示信号」は、ＩＰ変換回路２２が信号処理を実行するために、その制御ポート１０３に制御パラメータを入力してほしいタイミングが、ユーザが操作部１５を構成する所定のキー（後述するキーＡ）を操作したことにより、指示信号が入力されるタイミングであることを示している。このタイミング情報は、指示信号の他には、入力信号の同期信号のタイミングなどがある。タイミング情報が「同期信号」である場合には、制御部１１により入力信号の同期信号に合わせて制御パラメータが入力される。なお、この同期信号は、入力信号の同期信号ではない他の同期信号としてもよい。
【００３６】
値域「△△」は、制御パラメータの値域（操作部１５で指示できる制御パラメータの値の範囲）を示しており、例えば、値域が０乃至５である場合、信号処理回路２２の信号処理の制御は、６通りの制御を行うことができる。例えば、制御パラメータが、信号処理のオン、オフであった場合には、値域は、０または１の２通りであればよい。スイッチ情報「Ａ」は、操作部１５を構成するキーＡが操作されたときに、制御パラメータが、制御ポート１０３に入力されることを示している。すなわち、スイッチ情報は、制御ポートと操作部１５を構成するキーまたはボタンなどとの対応関係を示している。
【００３７】
リードライト許可情報「ライト」は、制御部１１により、制御ポート１０３のレジスタに制御パラメータをリード（読み込まれたい）されたいのか、または、ライト（書き込まれたい）されたいのかの情報が示される。コピーリスト「なし」は、同じ制御パラメータが入力される制御ポートがないことを示している。同じ制御パラメータが入力される制御ポートがあった場合には、コピーリストには、同じ制御パラメータが入力される制御ポートの信号処理ＩＤ、シリアルＩＤおよびアドレスなどのリスト情報（図５を参照して詳しく後述する）が示される。
【００３８】
図１の制御部１１は、テレビジョン受像機１の信号処理部１２乃至１４の信号処理の構成が再構成された場合、テレビジョン受像機１内すべての信号処理部の制御Ｉ／Ｆよりポート属性情報を要求する。信号処理部１２の制御Ｉ／Ｆ２１は、制御ポート１０３からポート属性情報を取得し、制御部１１に供給する。制御部１１は、制御Ｉ／Ｆ２１から供給されたポート属性情報を記憶部１７に登録する。
【００３９】
制御部１１は、ポート属性情報を取得することによって、テレビジョン受像機１内すべての信号処理部の構成を把握することができる。そして、制御部１１は、記憶したポート属性情報に基づいて、操作部１５を構成する操作キーおよび各種ボタンなどに、信号処理部１２乃至１４において、実行される処理に対応する制御（操作）パラメータを割り当て、表示部１６に表示させる制御パラメータに関する情報を設定する。
【００４０】
これにより、例えば、操作部１５を構成するキーＡから、値域「△△」の範囲の値の指示信号が入力された場合、制御部１１は、その指示信号に対応する値の制御パラメータを、信号処理部ＩＤ「ＡＡ１２」のシリアルＩＤ「１」のアドレス「△１」により示される信号処理部１２の制御ポート１０３のレジスタに、「ライト」することができる。
【００４１】
なお、具体的には、制御部１１は、指示信号に対応する値の制御パラメータを、信号処理部１２の制御Ｉ／Ｆ２１に供給するので、通信部１０１は、例えば、制御部１１から、制御ポート１０３宛の制御パラメータを受信し、アドレスデコーダ１０２に出力する。アドレスデコーダ１０２は、通信部１０１からの制御パラメータ内のアドレスを、制御Ｉ／Ｆ内２１のアドレスに変換し、入力する制御ポート１０３を求める。アドレスデコーダ１０２は、通信部１０１からの制御パラメータを、求めた制御ポート１０３に供給する。
【００４２】
以上のようにして、制御ポート１０３は、予め設定されているＩＰ変換回路２２に、アドレスデコーダ１０２からの制御パラメータを送信するので、ＩＰ変換回路２２において、制御パラメータに基づいて、ＩＰ変換処理が実行される。
【００４３】
図４は、信号処理部１３の詳細な構成例を示している。図４の例において、制御Ｉ／Ｆ３１は、通信部１１１、アドレスデコーダ１１２、および制御ポート１１３乃至１１５により構成される。なお、図４の通信部１１１およびアドレスデコーダ１１２は、図２の通信部１０１およびアドレスデコーダ１０２と基本的に同様に構成されるため、繰り返しになるのでその説明は省略する。
【００４４】
図４の例の場合、ＲＧＢ色変換回路３２内において実行されるＲＧＢ色変換処理は、Ｒ信号、Ｇ信号およびＢ信号別に、色変換処理を実行する。したがって、ＲＧＢ色変換回路３２においては、Ｒ信号への制御パラメータ、Ｇ信号への制御パラメータおよびＢ信号への制御パラメータが必要であり、制御Ｉ／Ｆ３１は、Ｒ信号への制御パラメータ、Ｇ信号への制御パラメータおよびＢ信号への制御パラメータがそれぞれ入力される制御ポート１１３乃至１１５を有している。
【００４５】
制御ポート１１３は、ＲＧＢ色変換回路３２に、アドレスデコーダ１１２からのＲ信号に対しての制御パラメータを送信する。制御ポート１１４は、ＲＧＢ色変換回路３２に、アドレスデコーダ１１２からのＧ信号に対しての制御パラメータを送信する。制御ポート１１５は、ＲＧＢ色変換回路３２に、アドレスデコーダ１１２からのＢ信号に対しての制御パラメータを送信する。しかしながら、明るさ調整の色変換処理を実行する場合には、Ｒ信号、Ｇ信号およびＢ信号に対して、同様の制御パラメータが入力されるため、制御ポート１１３は、図５に示されるようなポート属性情報を有している。
【００４６】
なお、図４の例においては、ＲＧＢ色変換回路３２によりＲ信号、Ｇ信号およびＢ信号の色変換処理が実行されるようにしたが、ＲＧＢ色変換回路３２内に、Ｒ色変換回路、Ｇ色変換回路、およびＢ色変換回路を備えるようにしてもよい。なお、その場合は、制御ポート１１３は、Ｒ色変換回路に制御パラメータを入力し、制御ポート１１４は、Ｇ色変換回路に制御パラメータを入力し、制御ポート１１５は、Ｂ色変換回路に制御パラメータを入力するようになる。
【００４７】
図５は、制御ポート１１３が有するポート属性情報を示している。なお、図５の例においては、図３のポート属性情報と基本的に同じ構成であるため、その詳細な説明は繰り返しになるので省略する。
【００４８】
制御ポート１１３のポート属性情報においては、信号処理ＩＤが、「ＡＡ１３」（信号処理部１３のテレビジョン受像機１内でコード化されたＩＤ）であり、シリアルＩＤが「１」であり、アドレスが「××１」であり、タイミング情報が「指示信号」であることが示されている。また、値域が「△△２」であり、スイッチ情報が「Ｂ」であり、リードライト許可情報が「ライト」であることが示されている。
【００４９】
ＲＧＢ色変換回路３２において、明るさ調整の色変換処理を実行する場合には、Ｒ信号、Ｇ信号およびＢ信号（制御ポート１１３乃至１１５）に対して、同じ制御パラメータが入力されるため、制御ポート１１３乃至１１５のタイミング情報、値域、スイッチ情報およびリードライト許可情報は、同じ情報が示される。したがって、図５においては、制御ポート１１３乃至１１５のうちの代表として、制御ポート１１３のポート属性情報のコピーリストに、制御ポート１１４および１１５のポート属性情報の一部が示される。
【００５０】
具体的には、制御ポート１１３のポート属性情報のコピーリストは、図５に示されるように、制御ポート１１４の信号処理ＩＤ「ＡＡ１３」、同じ制御パラメータが入力される同じ信号処理部１３内の制御ポート１１３と区別をするための制御ポート１１４のシリアルＩＤ「２」、および、制御ポート１１４のアドレス「××２」と、制御ポート１１５の信号処理ＩＤ「ＡＡ１３」、同じ制御パラメータが入力される同じ信号処理部１３内の制御ポート１１３および１１４と区別をするための制御ポート１１５のシリアルＩＤ「３」、および、制御ポート１１５のアドレス「××３」により構成される。
【００５１】
制御部１１は、制御Ｉ／Ｆ３１から、図５を参照して上述したポート属性情報を取得する。これにより、例えば、操作部１５を構成するキーＢから、値域「△△２」の範囲の値の指示信号が入力された場合、制御部１１は、その指示信号に対応する値の制御パラメータを、信号処理部ＩＤ「ＡＡ１３」のシリアルＩＤ「１」のアドレス「××１」により示される信号処理部１３の制御ポート１１３のレジスタに、「ライト」することができる。さらに、制御ポート１１３のコピーリストを参照して、制御ポート１１３へ供給する制御パラメータを、信号処理部ＩＤ「ＡＡ１３」のシリアルＩＤ「２」のアドレス「××２」により示される信号処理部１３の制御ポート１１４のレジスタに、「ライト」し、信号処理部ＩＤ「ＡＡ１３」のシリアルＩＤ「３」のアドレス「××３」により示される信号処理部１３の制御ポート１１３のレジスタに、「ライト」するようにできる。
【００５２】
以上のようにして、制御ポート１１３乃至１１５には、制御部１１からの制御パラメータが供給されるので、制御ポート１１３乃至１１５は、ＲＧＢ色変換回路３２に、その制御パラメータを送信する。これにより、ＲＧＢ色変換回路３２において、制御パラメータに基づいて、ＲＧＢ色変換処理が実行される。
【００５３】
なお、図４においては、各ポート属性情報は、各制御ポート１１３乃至１１５の下部に示されているが、図５を参照して上述したようなコピーリストが制御ポート１１３にあるので、制御ポート１１４および１１５のポート属性情報を省略するようにしてもよい。
【００５４】
図６は、信号処理部１４の詳細な構成例を示している。図６の例において、制御Ｉ／Ｆ４１は、通信部１２１、アドレスデコーダ１２２、および制御ポート１２３および１２４により構成される。なお、図６の通信部１２１およびアドレスデコーダ１２２は、図２の通信部１０１およびアドレスデコーダ１０２と基本的に同様に構成されるため、繰り返しになるのでその説明は省略する。
【００５５】
図６の例の場合、高画質信号処理回路４２において解像度変換、およびノイズ除去の高画質信号処理が実行される。高画質信号処理には、解像度設定の制御パラメータおよびノイズ除去設定の制御パラメータが必要であり、制御Ｉ／Ｆ４１は、解像度設定の制御パラメータ、ノイズ除去設定の制御パラメータがそれぞれ入力される制御ポート１２３および１２４を有している。
【００５６】
制御ポート１２３は、高画質信号処理回路４２に、アドレスデコーダ１２２からの解像度設定の制御パラメータを送信する。制御ポート１２４は、高画質信号処理回路４２に、アドレスデコーダ１２２からのノイズ除去設定の制御パラメータを送信する。制御ポート１２３および１２４は、図７に示されるようなポート属性情報を有している。
【００５７】
図７は、上段より、制御ポート１２３および１２４が有するポート属性情報を示している。なお、図７の例においては、図３のポート属性情報と基本的に同じ構成であるため、その詳細な説明は繰り返しになるので省略する。
【００５８】
制御ポート１２３のポート属性情報においては、信号処理ＩＤが、「ＡＡ１４」（信号処理部１４のテレビジョン受像機１内でコード化されたＩＤ）であり、シリアルＩＤが「１」であり、アドレスが「＊＊＊１」であり、タイミング情報が「指示信号」であることが示されている。また、値域が「××」であり、スイッチ情報が「Ｃ」であり、リードライト許可情報が「ライト」であり、コピーリストが「なし」であることが示されている。制御ポート１２４のポート属性情報においては、信号処理ＩＤが、「ＡＡ１４」（信号処理部１４のテレビジョン受像機１内でコード化されたＩＤ）であり、シリアルＩＤが「１」であり、アドレスが「＊＊＊２」であり、タイミング情報が「指示信号」であることが示されている。また、値域が「××」であり、スイッチ情報が「Ｄ」であり、リードライト許可情報が「ライト」であり、コピーリストが「なし」であることが示されている。
【００５９】
制御部１１は、制御Ｉ／Ｆ４１から、図７を参照して上述したポート属性情報を取得する。これにより、例えば、操作部１５を構成するキーＣから、値域「××」の範囲の値の指示信号が入力された場合、制御部１１は、その指示信号に対応する値の制御パラメータを、信号処理部ＩＤ「ＡＡ１４」のシリアルＩＤ「１」のアドレス「＊＊＊１」により示される信号処理部１４の制御ポート１２３のレジスタに、「ライト」することができる。
【００６０】
また、例えば、操作部１５を構成するキーＤから、値域「××」の範囲の値の指示信号が入力された場合、制御部１１は、その指示信号に対応する値の制御パラメータを、信号処理部ＩＤ「ＡＡ１４」のシリアルＩＤ「１」のアドレス「＊＊＊２」により示される信号処理部１４の制御ポート１２４のレジスタに、「ライト」することができる。
【００６１】
以上のようにして、制御ポート１２３には、制御部１１からの解像度設定の制御パラメータが供給されるので、制御ポート１２３は、高画質信号処理回路４２に、その制御パラメータを送信する。また、制御ポート１２４には、制御部１１からのノイズ除去設定の制御パラメータが供給されるので、制御ポート１２３は、高画質信号処理回路４２に、その制御パラメータを送信する。これにより、高画質信号処理回路４２において、解像度設定の制御パラメータおよびノイズ除去設定の制御パラメータに基づいて、高画質信号処理処理が実行される。
【００６２】
次に、図８のフローチャートを参照して、図１の制御部１１のテレビジョン受像機１の制御処理について説明する。制御部１１は、テレビジョン受像機１の信号処理部群の構成が確定すると、まず、ステップＳ１において、ポート属性情報の初期化処理を実行する。このポート属性情報の初期化処理について、図９のフローチャートを参照して説明する。
【００６３】
制御部１１は、ステップＳ１１において、テレビジョン受像機１のすべての信号処理部群の構成を把握し、信号処理部を特定し、ステップＳ１２に進む。なお、いまの場合、図１に示されるように、信号処理部群が、３つの信号処理部１２乃至１４により構成されていることを把握し、信号処理部１２乃至１４の位置、それぞれの接続関係などを特定する。
【００６４】
ステップＳ１２において、制御部１１は、ステップＳ１１において特定された各信号処理部の制御Ｉ／Ｆからポート属性情報を取得し、各信号処理部における制御ポートを特定し、ステップＳ１３に進む。具体的には、制御部１１は、信号処理部１２の制御Ｉ／Ｆ２１から、制御ポート１０３のポート属性情報を取得し、信号処理部１３の制御Ｉ／Ｆ３１から、制御ポート１１３乃至１１５のポート属性情報を取得し、信号処理部１４の制御Ｉ／Ｆ４１から、制御ポート１２３および１２４のポート属性情報を取得する。これにより、制御部１１は、各制御ポートの位置情報、各制御ポートが制御を要する制御（制御パラメータ）に関する情報を取得し、各制御ポートを特定することができる。
【００６５】
ステップＳ１３において、制御部１１は、ステップＳ１２において特定された制御ポートのポート属性情報を記憶部１７に登録し、ステップＳ１４に進む。なお、このとき、以前のポート属性情報は、初期化されている。ステップＳ１４において、制御部１１は、テレビジョン受像機１の信号処理部群すべての制御ポートを記憶部１７に登録したか否かを判断し、まだ、テレビジョン受像機１の信号処理部群すべての制御ポートを記憶部１７に登録していないと判断した場合、ステップＳ１１に戻り、それ以降の処理を繰り返す。
【００６６】
ステップＳ１４において、テレビジョン受像機１の信号処理部群すべての制御ポートが記憶部１７に登録されたと判断された場合、制御部１１は、ポート属性情報の初期化処理を終了し、図８のステップＳ２に戻る。
【００６７】
以上により、テレビジョン受像機１の制御構成が確立し、制御部１１は、記憶部１７に登録されたポート属性情報に基づいて、テレビジョン受像機１の信号処理部１２乃至１４の構成、並びに、すべての制御ポートの位置情報、制御を要する制御（制御パラメータ）に関する情報などを把握することができる。したがって、制御部１１は、記憶部１７に登録されたポート属性情報に基づいて、操作部１５を構成する操作キーおよび各種ボタンなどに、信号処理部１２乃至１４の各制御ポートに入力にされる制御パラメータを割り当て、表示部１６に表示させる制御パラメータに関する情報を設定することができる。すなわち、制御部１１は、操作部１５および表示部１６と、各制御ポートを接続することができる。
【００６８】
以上のようにして、図８のステップＳ１において、テレビジョン受像機１の制御構成が確立されるので、制御部１１は、ステップＳ２において、テレビジョン受像機１の通常制御処理を実行する。この通常制御処理を、図１０のフローチャートを参照して説明する。
【００６９】
制御部１１により表示部１６に表示される制御パラメータに関する情報が設定され、操作部１５を構成する操作キーに制御パラメータに関する情報が設定されている。例えば、表示部１６には、キーＡは、ＩＰ変換を設定するための操作キーであり、キーＢは、明るさ調整を設定するための操作キーであることが示されている。また、例えば、キーＣは、高品質信号処理において、解像度を設定するための操作キーであり、キーＤは、高品質信号処理において、ノイズ除去を設定するための操作キーであることが示されている。
【００７０】
したがって、ユーザは、表示部１６に表示された制御パラメータに関する情報を見ながら、例えば、明るさ調整を行うために、操作部１５を構成するキーＢを操作する。操作部１５は、キーＢの操作に対応する指示信号を制御部１１に送信する。これに対応して、ステップＳ２１において、制御部１１は、操作部１５から指示信号を受信したか否かを判断し、操作部１５から指示信号を受信したと判断した場合、ステップＳ２２に進む。
【００７１】
ステップＳ２２において、制御部１１は、記憶部１７に登録されているポート属性情報に基づいて、キーＢの指示信号に対応する制御ポートを求め、求められた制御ポートへの制御パラメータとして信号処理部の制御Ｉ／Ｆに送信する。いまの場合、キーＢが操作されているので、図５を参照して上述したように、アドレス「××１」の制御ポート１１３への制御パラメータが、信号処理ＩＤ「ＡＡ１３」である信号処理部１３の制御Ｉ／Ｆ３１に送信される。また、同時に、制御部１１は、図５のコピーリストにあるアドレス「××２」の制御ポート１１４およびアドレス「××３」の制御ポート１１５にも、制御ポート１１３と同様の制御パラメータをコピーするように制御Ｉ／Ｆ３１を制御する。
【００７２】
制御Ｉ／Ｆ３１の通信部１１１は、制御部１１の制御に基づいて、アドレスデコーダ１１２を介して制御ポート１１３乃至１１５に、明るさ調整の制御パラメータを供給する。これにより、各制御ポートを介して、ＲＧＢ色変換回路３２に制御パラメータが入力されるので、ＲＧＢ色変換回路３２は、後述する図１３のステップＳ９２において、ＲＧＢ色変換処理を実行し、ＲＧＢ色変換処理を実行したというステータス情報を、制御ポート１１３乃至１１５、アドレスデコーダ１１２および通信部１１１を介して制御部１１に送信してくる。これに対応して、制御部１１は、ステップＳ２３において、表示部１６にＲＧＢ色変換を実行したというステータス情報を表示させ、ステップＳ２４に進む。
【００７３】
テレビジョン受像機１においては、各信号処理部での信号処理のフィードバックをするか否かが基本設定として予め設定されている。したがって、制御部１１は、ステップＳ２４において、その基本設定に基づいて、処理のフィードバックを実行するか否かを判断し、処理のフィードバックを実行すると判断した場合、ステップＳ２５に進み、ステップＳ２２において制御パラメータを送信した信号処理部１３の制御Ｉ／Ｆ３１にフィードバック処理を実行させ、ステップＳ２６に進む。
【００７４】
これにより、制御パラメータが入力された各制御ポート１１３乃至１１５を介して、ＲＧＢ色変換回路３２にフィードバック処理の指令が入力されるので、後述する図１３のステップＳ９４において、ＲＧＢ色変換回路３２は、ＲＧＢ色変換処理の具体的な結果などについてフィードバック情報を、制御ポート１１３乃至１１５、アドレスデコーダ１１２および通信部１１１を介して、制御部１１に送信してくる。制御部１１は、このフィードバック情報を、送信した制御パラメータに関連付けて記憶部１７などに記憶する。そして、このフィードバック情報を利用することにより、制御パラメータの設定値をよりよいものに再設定することができる。
【００７５】
例えば、このフィードバック情報の内容が、エッジ検出の信号処理において、そのエッジ検出処理の成功、失敗などの信号処理結果情報であった場合、その信号処理結果情報を用いて、フィルタの係数（制御パラメータ）をより適する値に変更することができる。また、フィードバック情報の内容が、例えば、信号処理において抽出された画像の特徴量（例えば、処理画像または処理音声そのもの、処理データ中の相関値、値域または時間変化など）などであった場合、その画像の特徴量を解析し、解析結果によって信号処理を変更したり、制御パラメータを変更したりできる。さらに、操作部１５からの指示信号の操作履歴、それに対応する処理履歴をフィードバック情報として記憶しておくことでも、それらを解析し、その結果によって信号処理を変更したり、制御パラメータを変更したりできる。
【００７６】
一方、ステップＳ２１において、操作部１５から指示信号を受信していないと判断された場合、制御部１１は、ステップＳ２２乃至Ｓ２５の処理をスキップし、ステップＳ２６に進む。また、ステップＳ２４において、処理のフィードバックを実行しないと判断された場合、制御部１１は、ステップＳ２５の処理をスキップし、ステップＳ２６に進む。
【００７７】
制御部１１は、ステップＳ２６において、図示せぬ同期分離回路から、入力信号の垂直同期信号（フレームの同期信号）が入力されたか否かを判断し、フレームの同期信号が入力されたと判断した場合、ステップＳ２７において、記憶部１７に登録された属性情報に基づいて、タイミング情報が同期信号である制御ポートに、制御パラメータを送信する。
【００７８】
すなわち、制御部１１は、同期信号のタイミングで処理を実行したい信号処理回路に対応する制御ポートへの制御パラメータを、その制御ポートを有する信号処理部の制御Ｉ／Ｆに送信する。これにより、制御ポートを介して、所定の信号処理回路に制御パラメータが入力されるので、所定の信号処理回路は、入力された信号に、所定の信号処理を実行し、所定の信号処理を実行したというステータス情報を、対応する制御ポート、アドレスデコーダおよび通信部を介して制御部１１に送信してくる。
【００７９】
これに対応して、制御部１１は、ステップＳ２８において、表示部１６に所定の信号処理を実行したというステータス情報を表示させ、通常制御処理を終了し、図８のステップＳ３に戻る。なお、同期信号に対応して実行される信号処理に対してもステップＳ２５のフィードバック処理を実行させるようにしてもよい。
【００８０】
ステップＳ２６において、図示せぬ同期分離回路から、入力信号のフレームの同期信号が入力されていないと判断した場合、制御部１１は、ステップＳ２７およびＳ２８の処理をスキップし、通常制御処理を終了し、図８のステップＳ３に戻る。
【００８１】
制御部１１は、図８のステップＳ３において、テレビジョン受像機１の信号処理部群の構成が変更されたか否かを判断し、テレビジョン受像機１の信号処理部群の構成が変更されたと判断された場合、ステップＳ１に戻り、それ以降の処理を繰り返す。ステップＳ３において、テレビジョン受像機１の信号処理部群の構成が変更されていないと判断された場合、ステップＳ２に戻り、それ以降の処理を繰り返す。すなわち、制御部１１は、テレビジョン受像機１の信号処理部群の構成が変更されたと判断するまで、ステップＳ２の通常制御処理を繰り返し、テレビジョン受像機１の信号処理部群の構成が変更されたと判断した場合には、ステップＳ１のポート属性情報の初期化処理を再度実行し、その後、ステップＳ２の通常制御処理を実行する。
【００８２】
以上により、テレビジョン受像機１においては、テレビジョン受像機１の起動時、またはテレビジョン受像機１の構成に変化が起こったなど、制御ポートの物理的な位置がわからなくなった場合に、ポート属性情報の初期化処理が実行され、テレビジョン受像機１の制御構成を確立してから、テレビジョン受像機１が制御される。
【００８３】
したがって、信号処理部群を再構成する場合に、テレビジョン受像機１全体（制御部１１を含めた）の各種設定をわざわざ変更する必要がなくなり、簡単に、信号処理部群の再構成ができるようになる。
【００８４】
次に、図１１のフローチャートを参照して、上述したようにして制御部１１により制御される図１のテレビジョン受像機１の信号処理について説明する。
【００８５】
信号処理部１２のＩＰ変換回路２２は、ステップＳ６１において、図示せぬチューナより入力信号が入力されるまで待機しており、チューナより入力信号が入力されたと判断した場合、ステップＳ６２に進み、入力信号に、ＩＰ変換処理を実行し、その信号を信号処理部１３に出力する。このＩＰ変換処理を、図１２のフローチャートを参照して説明する。
【００８６】
例えば、ユーザにより、操作部１５を構成するキーのうち、ＩＰ変換を設定するための操作キーＡが操作された場合、上述した図１０のステップＳ２２において、制御部１１は、指示信号に対応する制御ポート１０３に制御パラメータを送信してくる。ステップＳ８１において、ＩＰ変換回路２２は、制御ポート１０３からＩＰ変換を制御するための制御パラメータを受信したか否かを判断し、制御ポート１０３から制御パラメータを受信したと判断した場合、ステップＳ８２に進む。
【００８７】
ステップＳ８２において、ＩＰ変換回路２２は、図１１のステップＳ６１において入力された信号を、ステップＳ８１において受信されたＩＰ変換を制御するための制御パラメータに基づいて、インタレースの信号からプログレッシブの信号に変換するＩＰ変換処理を実行し、ＩＰ変換処理を実行したというステータス情報を、制御ポート１０３、アドレスデコーダ１０２および通信部１０１を介して制御部１１に送信する。
【００８８】
また、制御部１１は、上述した図１０のステップＳ２５において、処理のフィードバック処理の指令を、通信部１０１、アドレスデコーダ１０２および制御ポート１０３を介して送信してくるので、ＩＰ変換回路２２は、ステップＳ８３において制御部１１からフィードバック処理の指令があるか否かを判断し、フィードバック処理の指令があると判断した場合、ステップＳ８４に進み、ステップＳ８２において実行されたＩＰ変換処理の具体的な結果などについてのフィードバック情報を、制御ポート１０３、アドレスデコーダ１０２および通信部１０１を介して制御部１１に送信し、ステップＳ８５に進む。
【００８９】
ステップＳ８３において、制御部１１からフィードバック処理の指令がないと判断された場合、ＩＰ変換回路２２は、ステップＳ８４の処理をスキップし、ステップＳ８５に進む。ステップＳ８５において、ＩＰ変換回路２２は、ステップＳ８２においてＩＰ変換処理された信号を、後段の信号処理部１３に出力し、ＩＰ変換処理を終了し、図１１のステップＳ６３に戻る。
【００９０】
一方、ステップＳ８１において、制御ポート１０３からＩＰ変換を制御するための制御パラメータを受信していないと判断された場合、ＩＰ変換回路２２は、ステップＳ８２乃至Ｓ８４の処理をスキップし、ステップＳ８５に進み、ＩＰ変換処理されていない信号を、後段の信号処理部１３に出力し、ＩＰ変換処理を終了し、図１１のステップＳ６３に戻る。
【００９１】
信号処理部１３のＲＧＢ色変換回路３２は、図１１のステップＳ６３において、信号処理部１２より入力信号が入力されるまで待機しており、信号処理部１２より入力信号が入力されたと判断した場合、ステップＳ６４に進み、入力信号に、ＲＧＢ色変換処理を実行し、その信号を、信号処理部１４に出力する。このＲＧＢ色変換処理を、図１３のフローチャートを参照して説明する。
【００９２】
例えば、ユーザにより、操作部１５を構成するキーのうち、明るさ調整を設定するための操作キーＢが操作された場合、上述した図１０のステップＳ２２において、制御部１１は、指示信号に対応する制御ポート１１３乃至１１５に制御パラメータを送信してくる。ステップＳ９１において、ＲＧＢ色変換回路３２は、制御ポート１１３乃至１１５から明るさ調整を制御するための制御パラメータを受信したか否かを判断し、制御ポート１１３乃至１１５から制御パラメータを受信したと判断した場合、ステップＳ９２に進む。
【００９３】
ステップＳ９２において、ＲＧＢ色変換回路３２は、図１１のステップＳ６３において入力された信号を、ステップＳ９１において受信された明るさ調整を制御するための制御パラメータに基づいて、明るさを調整するためのＲＧＢ色変換処理を実行する。具体的には、ＲＧＢ色変換回路３２は、入力信号をＲ信号、Ｇ信号およびＢ信号に色分解し、Ｒ信号、Ｇ信号およびＢ信号に対してそれぞれ明るさを調整するための色変換処理を実行し、その後、それらの信号を合成する。そして、ＲＧＢ色変換回路３２は、ＲＧＢ色変換処理を実行したというステータス情報を、制御ポート１１３乃至１１５、アドレスデコーダ１１２および通信部１１１を介して制御部１１に送信する。
【００９４】
また、制御部１１は、上述した図１０のステップＳ２５において、処理のフィードバック処理の指令を、通信部１１１、アドレスデコーダ１１２および制御ポート１１３乃至１１５を介して送信してくるので、ＲＧＢ色変換回路３２は、ステップＳ９３において制御部１１からフィードバック処理の指令があるか否かを判断し、フィードバック処理の指令があると判断した場合、ステップＳ９４において、ステップＳ９２において実行されたＲＧＢ色変換処理の具体的な結果などについてのフィードバック情報を、制御ポート１１３乃至１１５、アドレスデコーダ１１２および通信部１１１を介して制御部１１に送信し、ステップＳ９５に進む。
【００９５】
ステップＳ９３において、制御部１１からフィードバック処理の指令がないと判断された場合、ＲＧＢ色変換回路３２は、ステップＳ９４の処理をスキップし、ステップＳ９５に進む。ステップＳ９５において、ＲＧＢ色変換回路３２は、ステップＳ９２においてＲＧＢ色変換処理された信号を、後段の信号処理部１４に出力し、ＲＧＢ色変換処理を終了し、図１１のステップＳ６５に戻る。
【００９６】
一方、ステップＳ９１において、制御ポート１１３乃至１１５から明るさ調整を設定するための制御パラメータを受信していないと判断された場合、ＲＧＢ色変換回路３２は、ステップＳ９２乃至Ｓ９４の処理をスキップし、ステップＳ９５に進み、ＲＧＢ色変換処理されていない信号を、後段の信号処理部１４に出力し、ＲＧＢ色変換処理を終了し、図１１のステップＳ６５に戻る。
【００９７】
信号処理部１４の高画質信号処理回路４２は、図１１のステップＳ６５において、信号処理部１３より入力信号が入力されるまで待機しており、信号処理部１３より入力信号が入力されたと判断した場合、ステップＳ６６に進み、入力信号に、解像度変換、およびノイズ除去の高画質信号処理を実行し、その信号を、図示せぬ後段に出力する。図示せぬ後段においては、信号処理部１２乃至１４において信号処理された信号が表示制御され、図示せぬ他のＬＣＤに出力される。これにより、テレビジョン受像機１における信号処理は終了される。この高画質信号処理を、図１４のフローチャートを参照して説明する。
【００９８】
例えば、ユーザにより、操作部１５を構成するキーのうち、解像度を設定するための操作キーＣおよびノイズ除去を設定するための操作キーＤが操作された場合、上述した図１０のステップＳ２２において、制御部１１は、指示信号に対応する制御ポート１２３および１２４に制御パラメータを送信してくる。
【００９９】
ステップＳ１０１において、高画質信号処理回路４２は、制御ポート１２３から解像度を設定するための制御パラメータ、および、制御ポート１２４からノイズ除去を設定するための制御パラメータを受信したか否かを判断し、制御ポート１２３および１２４から制御パラメータを受信したと判断した場合、ステップＳ１０２に進む。なお、ステップＳ１０１においては、制御ポート１２３からの制御パラメータまたは制御ポート１２４からの制御パラメータのどちらか一方が受信されれば、ステップＳ１０２において高画質信号処理が実行されるようにしてもよい。
【０１００】
ステップＳ１０２において、高画質信号処理回路４２は、図１１のステップＳ６５において入力された信号を、ステップＳ１０１において受信された解像度およびノイズ除去を設定するための制御パラメータに基づいて、解像度変換、およびノイズ除去の高画質信号処理を実行する。
【０１０１】
具体的には、例えば、高画質信号処理回路４２は、ノイズ除去を設定するための制御パラメータに基づいて、入力信号のノイズの定常性や非定常性の特徴量を抽出し、その特徴量をクラス分類し、分類されたクラスに応じて、適応予測することにより、入力信号のノイズを除去する。さらに高画質信号処理回路４２は、解像度を設定するための制御パラメータに基づいて、入力信号の動きベクトルの特徴量を抽出し、その特徴量をクラス分類し、分類されたクラスに応じて、適応予測することにより、時間方向（フレーム数）と空間方向（画素数、ライン数）の解像度変換および信号の創造を行い、入力信号を、より高画質な信号にする信号処理を実行する。そして、高画質信号処理回路４２は、高画質信号処理を実行したというステータス情報を、制御ポート１２３および１２４、アドレスデコーダ１２２および通信部１２１を介して制御部１１に送信する。
【０１０２】
また、制御部１１は、上述した図１０のステップＳ２５において、処理のフィードバック処理の指令を、通信部１２１、アドレスデコーダ１２２および制御ポート１２３および１２４を介して送信してくるので、高画質信号処理回路４２は、ステップＳ１０３において制御部１１からフィードバック処理の指令があるか否かを判断し、フィードバック処理の指令があると判断した場合、ステップＳ１０４において、ステップＳ１０２において実行された高画質信号処理の具体的な結果などについてのフィードバック情報を、制御ポート１２３および１２４、アドレスデコーダ１２２および通信部１２１を介して制御部１１に送信し、ステップＳ１０５に進む。
【０１０３】
ステップＳ１０３において、制御部１１からフィードバック処理の指令がないと判断された場合、高画質信号処理回路４２は、ステップＳ１０４の処理をスキップし、ステップＳ１０５に進む。ステップＳ１０５において、高画質信号処理回路４２は、ステップＳ１０２において高画質信号処理された信号を、図示せぬ後段に出力し、高画質信号処理を終了し、図１１に戻り、テレビジョン受像機１における信号処理を終了する。
【０１０４】
一方、ステップＳ１０１において、制御ポート１２３および１２４から高画質信号処理を設定するための制御パラメータを受信していないと判断された場合、高画質信号処理回路４２は、ステップＳ１０２乃至Ｓ１０４の処理をスキップし、ステップＳ１０５に進み、高画質信号処理されていない信号を、図示せぬ後段に出力し、高画質信号処理を終了し、図１１に戻り、テレビジョン受像機１における信号処理を終了する。なお、図示せぬ後段においては、信号処理部１２乃至１４において信号処理された信号が表示制御され、図示せぬ他のＬＣＤに出力される。
【０１０５】
以上のように、制御部１１は、テレビジョン受像機１の起動時、またはテレビジョン受像機１の構成に変化が起こったなど、制御ポートの物理的な位置がわからなくなった場合に、ポート属性情報の初期化処理を実行し、テレビジョン受像機１の制御構成を確立してから、テレビジョン受像機１の各信号処理部を制御するので、テレビジョン受像機１においては、制御部１１による制御パラメータに基づいて、入力された信号が、信号処理部１２乃至１４により信号処理されることができる。したがって、テレビジョン受像機１においては、信号処理群を簡単に再構成することができる。
【０１０６】
次に、図１５および図１６を参照して、図１のテレビジョン受像機１の信号処理群を再構成した構成例について説明する。なお、図１５および１６において、図１における場合と対応する部分には対応する符号を付してあり、その説明は繰り返しになるので適宜省略する。
【０１０７】
図１５は、図１のテレビジョン受像機１を構成例を簡略化した簡略図を示しており、図１６は、図１５の信号処理部１２乃至１４により構成される信号処理部群を再構成したテレビジョン受像機１の構成例の簡略図を示している。したがって、図１５および図１６には、表示部１６および記憶部１７が記載されていないだけであり、実際には、制御部１１に接続されている。また、図１５および図１６においては、制御Ｉ／Ｆおよび各種信号処理回路が省略されているだけであり、実際には、各信号処理部は、図１の各信号処理部と同様に、制御Ｉ／Ｆおよび各種信号処理回路により構成されている。
【０１０８】
図１６の例においては、テレビジョン受像機１は、図１５の３つのブロックである信号処理部１２乃至１４により構成された信号処理群が形成された基板が、信号処理部１２および１３、並びに信号処理部１４Ａおよび２０１の４つのブロックに形成された基板に入れ替えられて、再構成されている。なお、図１６においては、信号処理部群の基板ごと入れ替えて、図１５のテレビジョン受像機１の信号処理部群を再構成したが、信号処理部単位ごとに入れ替えて再構成するようにしてもよい。
【０１０９】
具体的には、図１６のテレビジョン受像機１は、図１５のテレビジョン受像機１のＲＧＢ変換処理を実行する信号処理部１３と、並列でＹＵＶ変換処理を実行する信号処理部２０１のブロックを追加し、解像度変換、およびノイズ除去の高画質信号処理を実行する信号処理部１４を、ズーム機能が付加された解像度変換、およびノイズ除去の高画質信号処理を実行する信号処理部１４Ａに機能アップすることにより、図１５のテレビジョン受像機１を再構成したものである。なお、図１６においては、図１における場合と対応する部分には対応する符号を付してあり、その説明は繰り返しになるので省略する。
【０１１０】
信号処理部１２は、図示せぬチューナからの入力信号を、制御部１１から供給される制御パラメータに基づいて、インタレースの信号からプログレッシブの信号に変換するＩＰ変換処理を実行する。そして、信号処理部１２は、ＩＰ変換した信号を、後段の信号処理部１３および信号処理部２０１に出力する。
【０１１１】
信号処理部１３は、信号処理部１２からの入力信号のＲ信号、Ｇ信号およびＢ信号に、制御部１１からの制御パラメータに基づいて、明るさ調整などのＲＧＢ色変換処理を実行する。そして、信号処理部１３は、ＲＧＢ色変換した信号を、後段の信号処理部１４Ａに出力する。
【０１１２】
信号処理部２０１は、信号処理部１２からの入力信号のＹ信号、Ｕ信号およびＶ信号に、制御部１１からの制御パラメータに基づいて、明るさ調整などのＹＵＶ変換処理を実行する。そして、信号処理部１３は、ＹＵＶ変換処理した信号を、後段の信号処理部１４Ａに出力する。
【０１１３】
信号処理部１４Ａは、信号処理部１３におけるＲＧＢ色変換により明るさ調整された信号、または、信号処理部２０１におけるＹＵＶ変換により明るさ調整された信号のうち、制御部１１からの制御パラメータに基づいて、どちらかの信号を入力するか選択するスイッチ２１１を有している。信号処理部１４Ａは、スイッチ２１１により選択され、入力された信号を、制御部１１からの制御パラメータに基づいて、入力信号の解像度変換、ノイズ除去などに加えて、ズーム機能を有した高画質信号処理を実行する。そして、信号処理部１４Ａは、高画質信号処理された信号を、図示せぬ後段に出力する。図示せぬ後段においては、信号処理部１２、１３、１４Ａおよび２０１において信号処理された信号が表示制御され、図示せぬ他のＬＣＤなどに出力される。
【０１１４】
信号処理部１２、１３、１４Ａおよび２０１は、各種信号処理を実行するために必要な制御（すなわち、各種信号処理を実行するために、制御部１１に制御されたい制御）に関するポート属性情報を、それらの制御（制御パラメータ）を入力する制御ポート毎に有している。
【０１１５】
再構成された図１６のテレビジョン受像機１において、制御部１１は、テレビジョン受像機１全体の信号処理部１２、１３、１４Ａおよび２０１のポート属性情報を取得し、記憶部１７（図１６では図示しない）に記憶する。これにより、制御部１１は、テレビジョン受像機１全体の制御構成を把握することができる。
【０１１６】
そして、制御部１１は、記憶したポート属性情報に基づいて、操作部２０３を構成する操作キーおよび各種ボタンなどに、信号処理部１２、１３、１４Ａおよび２０１に実行される処理に対応する操作パラメータを割り当て、表示部１６に表示させる制御パラメータに関する情報を設定する。なお、操作部２０３は、信号処理部群が再構成され、信号処理部１４Ａに追加された機能のため、図１５における操作部１５に操作キーが追加されたものである。したがって、操作部１５の操作キーのみで対応できる場合、操作部１５を変更する必要はない。
【０１１７】
以上のように、テレビジョン受像機１において、図１６に示されるように、信号処理部群が再構築された場合でも、制御部１１は、ポート属性情報に基づいて、ユーザによる操作部２０３からの指示信号が、どの信号処理部に出力する制御パラメータに対応するものであるかを認識することができる。したがって、制御部１１は、信号処理部１２、１３、１４Ａおよび２０１のうちの制御パラメータに対応する信号処理部に送信し、その信号処理部の信号処理を制御することができるしたがって、テレビジョン受像機１においては、信号処理部１２、１３、１４Ａおよび２０１により再構成された信号処理を実行することができる。
【０１１８】
なお、図１６のテレビジョン受像機１においては、スイッチ２１１を信号処理部１４Ａに内蔵させたが、スイッチ２１１を信号処理部１４Ａの外に配置するように構成してもよい。
【０１１９】
図１７は、信号処理部２０１の詳細な構成例を示している。図１７の例において、信号処理部２０１は、制御Ｉ／Ｆ２５１およびＹＵＶ変換回路２５２により構成される。制御Ｉ／Ｆ２５１は、通信部２６１、アドレスデコーダ２６２、および制御ポート２６３乃至２６５により構成される。なお、図４の通信部２６１およびアドレスデコーダ２６２は、図２の通信部１０１およびアドレスデコーダ１０２と基本的に同様に構成されるため、繰り返しになるので、その説明は省略する。
【０１２０】
図１７の例の場合、ＹＵＶ変換回路２５２内において実行されるＹＵＶ変換処理は、Ｙ信号（輝度信号）、Ｕ信号およびＶ信号（色差信号）別に、色変換処理を実行する。したがって、ＹＵＶ変換回路２５２においては、Ｙ信号への制御パラメータ、Ｕ信号への制御パラメータおよびＶ信号への制御パラメータが必要であり、制御Ｉ／Ｆ２５１は、Ｙ信号への制御パラメータ、Ｕ信号への制御パラメータおよびＶ信号への制御パラメータがそれぞれ入力される制御ポート２６３乃至２６５を有している。
【０１２１】
制御ポート２６３は、ＹＵＶ変換回路２５２に、アドレスデコーダ２６２からのＹ信号に対しての制御パラメータを送信する。制御ポート２６４は、ＹＵＶ変換回路２５２に、アドレスデコーダ２６２からのＵ信号に対しての制御パラメータを送信する。制御ポート２６５は、ＹＵＶ変換回路２５２に、アドレスデコーダ２６２からのＶ信号に対しての制御パラメータを送信する。制御ポート２６３乃至２６５は、図１８に示されるようなポート属性情報を有している。
【０１２２】
なお、図１７の例においては、ＹＵＶ変換回路２５２によりＹ信号、Ｕ信号およびＶ信号の変換処理が実行されるようにしたが、ＹＵＶ変換回路２５２内に、Ｙ変換回路、Ｕ変換回路、およびＶ変換回路を備えるようにしてもよい。また、その場合は、制御ポート２６３は、Ｙ変換回路に制御パラメータを入力し、制御ポート２６４は、Ｕ変換回路に制御パラメータを入力し、制御ポート２６５は、Ｖ変換回路に制御パラメータを入力するようになる。
【０１２３】
図１８は、上段より制御ポート２６３乃至２６５が有するポート属性情報を示している。なお、図１８の例においては、図３のポート属性情報と基本的に同じ構成であるため、その詳細な説明は繰り返しになるので省略する。
【０１２４】
制御ポート２６３のポート属性情報においては、信号処理ＩＤが、「ＡＡ２０１」（信号処理部２０１のテレビジョン受像機１内でコード化されたＩＤ）であり、シリアルＩＤが「１」であり、アドレスが「○○○１」であり、タイミング情報が「指示信号」であることが示されている。また、値域が「△△３」であり、スイッチ情報が「Ｂ」であり、リードライト許可情報が「ライト」であり、コピーリストが「なし」であることが示されている。制御ポート２６４のポート属性情報においては、信号処理ＩＤが、「ＡＡ２０１」（信号処理部２０１のテレビジョン受像機１内でコード化されたＩＤ）であり、シリアルＩＤが「１」であり、アドレスが「○○○２」であり、タイミング情報が「指示信号」であることが示されている。また、値域が「□□１」であり、スイッチ情報が「Ｆ」であり、リードライト許可情報が「ライト」であり、コピーリストが「なし」であることが示されている。
【０１２５】
制御ポート２６３のポート属性情報においては、信号処理ＩＤが、「ＡＡ２０１」（信号処理部２０１のテレビジョン受像機１内でコード化されたＩＤ）であり、シリアルＩＤが「１」であり、アドレスが「○○○３」であり、タイミング情報が「指示信号」であることが示されている。また、値域が「□□２」であり、スイッチ情報が「Ｆ」であり、リードライト許可情報が「ライト」であり、コピーリストが「なし」であることが示されている。
【０１２６】
制御部１１は、制御Ｉ／Ｆ２５１から、図１８を参照して上述したポート属性情報を取得する。これにより、例えば、操作部２０３を構成するキーＢから、値域「△△３」の範囲の値の指示信号が入力された場合、制御部１１は、その指示信号に対応する値の制御パラメータを、信号処理部ＩＤ「ＡＡ２０１」のシリアルＩＤ「１」のアドレス「○○○１」により示される信号処理部２０１の制御ポート２６３のレジスタに、「ライト」することができる。
【０１２７】
また、例えば、操作部２０３を構成するキーＦから、値域「□□１」の範囲の値の指示信号が入力された場合、制御部１１は、その指示信号に対応する値の制御パラメータを、信号処理部ＩＤ「ＡＡ２０１」のシリアルＩＤ「１」のアドレス「○○○２」により示される信号処理部２０１の制御ポート２６４のレジスタに、「ライト」することができる。同様に、操作部２０３を構成するキーＦから、値域「□□２」の範囲の値の指示信号が入力された場合、制御部１１は、その指示信号に対応する値の制御パラメータを、信号処理部ＩＤ「ＡＡ２０１」のシリアルＩＤ「１」のアドレス「○○○３」により示される信号処理部２０１の制御ポート２６５のレジスタに、「ライト」することができる。
【０１２８】
なお、ＹＵＶ変換回路２５２において、明るさ調整の変換処理が実行される場合、Ｙ信号（輝度信号）に対応する制御パラメータが入力される制御ポート２６３だけに、アドレスデコーダ２６２からの明るさ調整の制御パラメータが供給されるので、制御ポート２６３は、ＹＵＶ変換回路２５２に、その制御パラメータを送信する。これにより、ＹＵＶ変換回路２５２において、明るさ調整の制御パラメータに基づいて、明るさ調整のＹ信号変換処理が実行される。
【０１２９】
一方、ＹＵＶ変換回路２５２において、色合い調整の変換処理が実行される場合、Ｕ信号およびＶ信号（色差信号）に対応する制御パラメータが入力される制御ポート２６４および２６５だけに、アドレスデコーダ２６２からの色合い調整の制御パラメータが供給されるので、制御ポート２６４および２６５は、予め設定されているＹＵＶ変換回路２５２に、その制御パラメータを送信する。これにより、ＹＵＶ変換回路２５２において、色合い調整の制御パラメータに基づいて、色合い調整のＵＶ信号変換処理が実行される。
【０１３０】
図１９は、信号処理部１４Ａの詳細な構成例を示している。図１９の例において、信号処理部１４Ａは、スイッチ２１１、制御Ｉ／Ｆ４１Ａおよび高画質信号処理回路４２Ａにより構成される。なお、図１９の信号処理部１４Ａの制御Ｉ／Ｆ４１Ａは、図６の信号処理部１４の制御Ｉ／Ｆ４１に、制御ポート２８３乃至２８６を追加したものであり、対応する部分には、対応する符号を付してあり、その説明は繰り返しになるので省略する。
【０１３１】
図１９の例の場合、高画質信号処理回路４２Ａにおいて解像度変換、およびノイズ除去に加えて、ズーム機能を有した高画質信号処理が実行される。したがって、高画質信号処理には、解像度設定の制御パラメータおよびノイズ除去設定の制御パラメータに加えてズーム機能設定する制御パラメータが必要であり、制御Ｉ／Ｆ４１Ａは、解像度設定の制御パラメータ、ノイズ除去設定の制御パラメータがそれぞれ入力される制御ポート１２３および１２４に加えて、ズーム機能の倍率設定、ズームの起点のｘ座標およびｙ座標の制御パラメータが入力される制御ポート２８４乃至２８６を有している。さらに、制御Ｉ／Ｆ４１Ａは、スイッチ２１１に入力される信号を選択する制御パラメータが入力される制御ポート２８３を有している。
【０１３２】
制御ポート２８３は、スイッチ２１１に、アドレスデコーダ１２２からの制御パラメータを送信する。制御ポート２８４は、高画質信号処理回路４２Ａに、アドレスデコーダ１２２からのズーム機能の倍率設定の制御パラメータを送信する。制御ポート２８５は、高画質信号処理回路４２Ａに、アドレスデコーダ１２２からのズームの起点のｘ座標の制御パラメータを送信する。制御ポート２８６は、高画質信号処理回路４２Ａに、アドレスデコーダ１２２からのズームの起点のｙ座標の制御パラメータを送信する。制御ポート１２３、１２４および制御ポート２８４乃至２８６は、図２０に示されるようなポート属性情報を有している。
【０１３３】
図２０は、上段より、制御ポート１２３、１２４および制御ポート２８３乃至２８６が有するポート属性情報を示している。なお、図２０の制御ポート１２３および１２４のポート属性情報は、図５のポート属性情報と同じであり、繰り返しになるので省略する。
【０１３４】
制御ポート２８３のポート属性情報においては、信号処理ＩＤが、「ＡＡ１４」（信号処理部１４Ａは、のテレビジョン受像機１内でコード化されたＩＤ）であり、シリアルＩＤが「１」であり、アドレスが「＊＊＊９」であり、タイミング情報が「指示信号」であることが示されている。また、値域が「０，１」であり、スイッチ情報が「Ｐ」であり、リードライト許可情報が「ライト」であり、コピーリストが「なし」であることが示されている。制御ポート２８４のポート属性情報においては、信号処理ＩＤが、「ＡＡ１４」であり、シリアルＩＤが「１」であり、アドレスが「＊＊＊３」であり、タイミング情報が「指示信号」であることが示されている。また、値域が「△△」であり、スイッチ情報が「Ｌ」であり、リードライト許可情報が「ライト」であり、コピーリストが「なし」であることが示されている。
【０１３５】
制御ポート２８５のポート属性情報においては、信号処理ＩＤが、「ＡＡ１４」であり、シリアルＩＤが「１」であり、アドレスが「＊＊＊４」であり、タイミング情報が「指示信号」であることが示されている。また、値域が「△×」であり、スイッチ情報が「Ｍ」であり、リードライト許可情報が「ライト」であり、コピーリストが「なし」であることが示されている。制御ポート２８６のポート属性情報においては、信号処理ＩＤが、「ＡＡ１４」であり、シリアルＩＤが「１」であり、アドレスが「＊＊＊５」であり、タイミング情報が「指示信号」であることが示されている。また、値域が「△○」であり、スイッチ情報が「Ｎ」であり、リードライト許可情報が「ライト」であり、コピーリストが「なし」であることが示されている。なお、信号処理部１４Ａは、信号処理部１４がバージョンアップされたものであり、テレビジョン受像機１内でコード化されたＩＤは変わらないが、変更するようにしてもよい。
【０１３６】
制御部１１は、制御Ｉ／Ｆ４１Ａから、図２０を参照して上述したポート属性情報を取得する。これにより、例えば、操作部２０３を構成するキーＰから、値域「０、１」の範囲の値の指示信号が入力された場合、制御部１１は、その指示信号に対応する値の制御パラメータを、信号処理部ＩＤ「ＡＡ１４」のシリアルＩＤ「１」のアドレス「＊＊＊９」により示される信号処理部１４Ａの制御ポート２８３のレジスタに、「ライト」することができる。
【０１３７】
したがって、制御ポート２８３には、アドレスデコーダ１２２からのスイッチ選択の制御パラメータが供給されるので、制御ポート２８３は、スイッチ２１１に、その制御パラメータを送信する。これにより、スイッチ２１１は、制御パラメータに基づいて、信号処理部１３からの入力信号または信号処理部２０１からの入力信号のどちらかを選択して、高画質信号処理回路４２Ａに入力することができる。
【０１３８】
また、例えば、操作部２０３を構成するキーＬから、値域「△△」の範囲の値の指示信号が入力された場合、制御部１１は、その指示信号に対応する値の制御パラメータを、信号処理部ＩＤ「ＡＡ１４」のシリアルＩＤ「１」のアドレス「＊＊＊３」により示される信号処理部１４Ａの制御ポート２８４のレジスタに、「ライト」することができる。操作部２０３を構成するキーＭから、値域「△×」の範囲の値の指示信号が入力された場合、制御部１１は、その指示信号に対応する値の制御パラメータを、信号処理部ＩＤ「ＡＡ１４」のシリアルＩＤ「１」のアドレス「＊＊＊４」により示される信号処理部１４Ａの制御ポート２８５のレジスタに、「ライト」することができる。操作部２０３を構成するキーＬから、値域「△○」の範囲の値の指示信号が入力された場合、制御部１１は、その指示信号に対応する値の制御パラメータを、信号処理部ＩＤ「ＡＡ１４」のシリアルＩＤ「１」のアドレス「＊＊＊５」により示される信号処理部１４Ａの制御ポート２８６のレジスタに、「ライト」することができる。
【０１３９】
したがって、制御ポート２８４には、アドレスデコーダ１２２からのズーム機能の倍率設定の制御パラメータが供給されるので、制御ポート２８４は、高画質信号処理回路４２Ａに、その制御パラメータを送信する。制御ポート２８５には、アドレスデコーダ１２２からのズーム起点のｘ座標の制御パラメータが供給されるので、制御ポート２８５は、高画質信号処理回路４２Ａに、その制御パラメータを送信する。制御ポート２８６には、アドレスデコーダ１２２からのズーム起点のｙ座標の制御パラメータが供給されるので、制御ポート２８６は、高画質信号処理回路４２Ａに、その制御パラメータを送信する。これにより、高画質信号処理回路４２Ａは、解像度設定、ノイズ除去設定の制御パラメータに加えて、ズーム機能の倍率設定、ズームの起点のｘ座標およびｙ座標の制御パラメータに基づいて、高画質信号処理処理を実行できる。
【０１４０】
以上のように、図１に示されるテレビジョン受像機１の信号処理部群が、図１６に示されるテレビジョン受像機１の信号処理部群が再構築された場合、制御部１１は、上述した図８のフローチャートのステップＳ３において、テレビジョン受像機１の信号処理部群の構成が変更されたか否かを判断し、テレビジョン受像機１の信号処理部群の構成が変更されたと判断された場合、ステップＳ１に戻り、ポート属性情報の初期化処理を実行する。このポート属性情報の初期化処理は、図９のフローチャートを参照して上述したので、その詳細な説明は適宜省略するが、制御部１１は、図９のステップＳ１１において、図１６のテレビジョン受像機１の信号処理部群の構成を把握し、信号処理部１２、１３、１４Ａおよび２０１を特定し、ステップＳ１２に進む。
【０１４１】
ステップＳ１２において、制御部１１は、ステップＳ１１において特定された各信号処理部の制御Ｉ／Ｆからポート属性情報を取得し、各信号処理部における制御ポートを特定し、ステップＳ１３に進む。ステップＳ１３において、制御部１１は、ステップＳ１２において特定された制御ポートの属性情報を記憶部１７に新たに登録し、ステップＳ１４に進む。ステップＳ１４において、制御部１１は、図１６のテレビジョン受像機１の信号処理部群すべての制御ポートを記憶部１７に登録したか否かを判断し、まだ、図１６のテレビジョン受像機１の信号処理部群すべての制御ポートを記憶部１７に登録していないと判断した場合、ステップＳ１１に戻り、それ以降の処理を繰り返す。
【０１４２】
ステップＳ１４において、図１６のテレビジョン受像機１の信号処理部群すべての制御ポートが記憶部１７に登録されたと判断された場合、制御部１１は、ポート属性情報の初期化処理を終了し、図８のステップＳ２に戻る。
【０１４３】
以上により、図１６のテレビジョン受像機１の制御構成が確立し、制御部１１は、記憶部１７に登録されたポート属性情報に基づいて、テレビジョン受像機１の信号処理部１２、１３、１４Ａおよび２０１の構成、並びに、すべての制御ポートの位置情報、制御を要する制御（制御パラメータ）に関する情報などを把握することができる。したがって、制御部１１は、記憶部１７に登録されたポート属性情報に基づいて、操作部２０３を構成する操作キーおよび各種ボタンなどに、信号処理部１２、１３、１４Ａおよび２０１の各制御ポートに入力にされる制御パラメータを割り当て、表示部１６に表示させる制御パラメータに関する情報を設定することができる。すなわち、制御部１１は、操作部２０３および表示部１６と、各制御ポートを接続することができる。
【０１４４】
以上のようにして、図８のステップＳ１において、図１６のテレビジョン受像機１の制御構成が確立するので、制御部１１は、ステップＳ２において、図１６のテレビジョン受像機１の通常制御処理を実行する。通常制御処理は、図１０のフローチャートを参照して上述したので、その詳細な説明は適宜省略するが、図１６のテレビジョン受像機１の制御部１１により表示部１６に表示される制御パラメータに関する情報が設定され、操作部２０３を構成する操作キーに制御パラメータに関する情報が設定されている。
【０１４５】
例えば、表示部１６には、キーＡは、ＩＰ変換を設定するための操作キーであり、キーＢは、明るさ調整を設定するための操作キーであることが示されている。また、表示部１６には、キーＣは、高品質信号処理において、解像度を設定するための操作キーであり、キーＤは、高品質信号処理において、ノイズ除去を設定するための操作キーであることが示されている。
【０１４６】
さらに、表示部１６には、キーＦは、色合い調整を設定するための操作キーであり、キーＰは、ＲＧＢ変換とＹＵＶ変換のどちらの方法で明るさ調整を設定するか選択するための操作キーであることが示されている。また、表示部１６には、キーＬは、高品質信号処理において、ズーム機能のズーム倍率を設定するための操作キーであり、キーＭは、高品質信号処理において、ズーム機能のズーム起点のｘ座標を設定するための操作キーであり、キーＮは、高品質信号処理において、ズーム機能のズーム起点のｙ座標を設定するための操作キーであることが示されている。
【０１４７】
したがって、ユーザは、表示部１６に表示された制御パラメータに関する情報を見ながら、例えば、明るさ調整を行うために、操作部２０３を構成するキーＢを操作する。操作部２０３は、キーＢの操作に対応する指示信号を制御部１１に送信する。これに対応して、図１０のステップＳ２１において、制御部１１は、操作部２０３から指示信号を受信したか否かを判断し、操作部２０３から指示信号を受信したと判断した場合、ステップＳ２２に進む。
【０１４８】
ステップＳ２２において、制御部１１は、記憶部１７に登録されているポート属性情報に基づいて、キーＢの指示信号に対応する制御ポートを求め、求められた制御ポートへの制御パラメータとして信号処理部の制御Ｉ／Ｆに送信する。いまの場合、キーＢが操作されているので、アドレス「××１」の制御ポート１１３への制御パラメータが、信号処理ＩＤ「ＡＡ１３」である信号処理部１３の制御Ｉ／Ｆ３１に送信され、さらに、図１８に示されるように、アドレス「○○○１」の制御ポート２６３への制御パラメータが、信号処理ＩＤ「ＡＡ１０１」である信号処理部２０１の制御Ｉ／Ｆ２５１に送信される。なお、同時に、制御部１１は、図５のコピーリストにあるアドレス「××２」の制御ポート１１４およびアドレス「××３」の制御ポート１１５にも、制御ポート１１３と同様の制御パラメータをコピーするように制御Ｉ／Ｆ３１を制御する。
【０１４９】
制御Ｉ／Ｆ３１は、制御部１１の制御に基づいて、アドレスデコーダ１１２を介して制御ポート１１３乃至１１５に、明るさ調整の制御パラメータを入力する。これにより、各制御ポートを介して、ＲＧＢ色変換回路３２に制御パラメータが入力されるので、ＲＧＢ色変換回路３２は、上述した図１３のステップＳ９２において、ＲＧＢ色変換処理を実行し、ＲＧＢ色変換処理を実行したというステータス情報を、制御ポート１１３乃至１１５、アドレスデコーダ１１２および通信部１１１を介して、制御部１１に送信してくる。
【０１５０】
また、上記処理に並列して、制御Ｉ／Ｆ２５１は、制御部１１の制御に基づいて、アドレスデコーダ２６２を介して制御ポート２６３に、明るさ調整の制御パラメータを入力する。これにより、制御ポートを介して、ＹＵＶ変換回路２５２に制御パラメータが入力されるので、ＹＵＶ変換回路２５２は、後述する図２２のステップＳ３３２において、Ｙ信号変換処理を実行し、ＹＵＶ変換処理を実行したというステータス情報を、制御ポート２６３、アドレスデコーダ２６２および通信部２６１を介して制御部１１に送信してくる。
【０１５１】
これに対応して、制御部１１は、ステップＳ２３において、表示部１６に明るさ調整のＲＧＢ色変換およびＹＵＶ変換を実行したというステータス情報を表示させ、ステップＳ２４に進む。
【０１５２】
制御部１１は、ステップＳ２４において、図１６のテレビジョン受像機１の基本設定に基づいて、処理のフィードバックを実行するか否かを判断し、処理のフィードバックを実行すると判断した場合、ステップＳ２５に進み、ステップＳ２２において制御パラメータを送信した信号処理部１３の制御Ｉ／Ｆ３１および信号処理部２０１の制御Ｉ／Ｆ２５１にフィードバック処理を実行させ、ステップＳ２６に進む。
【０１５３】
これにより、制御パラメータが入力された各制御ポート１１３乃至１１５を介して、ＲＧＢ色変換回路３２にフィードバック処理の指令が入力されるので、後述する図１３のステップＳ９４において、ＲＧＢ色変換回路３２は、ＲＧＢ色変換処理の具体的な結果などについてフィードバック情報を、制御ポート１１３乃至１１５、アドレスデコーダ１１２および通信部１１１を介して制御部１１に送信してくる。同時に、制御パラメータが入力された制御ポート２６３を介して、ＹＵＶ変換回路２５２にフィードバック処理の指令が入力されるので、後述する図２２のステップＳ３３４において、ＹＵＶ変換回路２５２は、Ｙ信号変換処理の具体的な結果などについてフィードバック情報を、制御ポート２６３、アドレスデコーダ２６２および通信部２６１を介して制御部１１に送信してくる。
【０１５４】
制御部１１は、このフィードバック情報を、送信した制御パラメータに関連付けて記憶部１７などに記憶する。そして、このフィードバック情報を利用するようにしてもよい。これにより、制御パラメータの設定値をより最適にすることができる。
【０１５５】
一方、ステップＳ２１において、操作部２０３から指示信号を受信していないと判断された場合、制御部１１は、ステップＳ２２乃至Ｓ２５の処理をスキップし、ステップＳ２６に進む。また、ステップＳ２４において、処理のフィードバックを実行すると判断された場合、制御部１１は、ステップＳ２５の処理をスキップし、ステップＳ２６に進む。
【０１５６】
制御部１１は、ステップＳ２６において、図示せぬ同期分離回路から、入力信号の垂直同期信号（フレームの同期信号）が入力されたか否かを判断し、フレームの同期信号が入力されたと判断した場合、ステップＳ２７において、記憶部１７に登録されたポート属性情報に基づいて、タイミング情報が同期信号である制御ポートに、制御パラメータを送信する。これにより、所定の信号処理回路は、入力された信号に、所定の信号処理を実行し、所定の信号処理を実行したというステータス情報を制御部１１に送信してくる。
【０１５７】
これに対応して、制御部１１は、ステップＳ２８において、表示部１６に所定の信号処理を実行したというステータス情報を表示させ、通常制御処理を終了し、図８のステップＳ３に戻る。ステップＳ２６において、図示せぬ同期分離回路から、入力信号のフレームの同期信号が入力されていないと判断した場合、制御部１１は、ステップＳ２７およびＳ２８の処理をスキップし、通常制御処理を終了し、図８のステップＳ３に戻る。
【０１５８】
制御部１１は、図８のステップＳ３において、テレビジョン受像機１の信号処理部群の構成が変更されたと判断するまで、ステップＳ２の通常制御処理を繰り返し、テレビジョン受像機１の信号処理部群の構成が変更された場合には、ステップＳ１のポート属性情報の初期化処理を再度実行し、その後、ステップＳ２の通常制御処理を実行する。
【０１５９】
以上のように、図１６に示されるように、テレビジョン受像機１の構成に変化が起こった場合に、ポート属性情報の初期化処理が実行され、テレビジョン受像機１の制御構成が確立されるので、制御部１１は、図１６のテレビジョン受像機１において再構成された信号処理部１２、１３、１４Ａおよび２０１を制御することができる。
【０１６０】
次に、図２１のフローチャートを参照して、上述したようにして制御部１１により制御される図１６のテレビジョン受像機１の信号処理について説明する。
【０１６１】
信号処理部１２のＩＰ変換回路２２は、ステップＳ３０１において、図示せぬ前段より入力信号が入力されるまで待機しており、入力信号が入力されたと判断した場合、ステップＳ３０２に進み、入力信号に、ＩＰ変換処理を実行し、その信号を信号処理部１３に出力する。このＩＰ変換処理は、図１２のフローチャートを参照して上述したＩＰ変換処理と基本的に同様の処理を行うため、その詳細な説明は、適宜省略するが、ＩＰ変換回路２２は、図１２のステップＳ８１において、制御ポート１０３からＩＰ変換を制御するための制御パラメータを受信したか否かを判断し、制御ポート１０３から制御パラメータを受信したと判断した場合、ステップＳ８２に進む。
【０１６２】
ステップＳ８２において、ＩＰ変換回路２２は、図２１のステップＳ３０１において入力された信号を、ステップＳ８１において受信されたＩＰ変換を制御するための制御パラメータに基づいて、インタレースの信号からプログレッシブの信号に変換するＩＰ変換処理を実行し、ＩＰ変換処理を実行したというステータス情報を、制御ポート１０３、アドレスデコーダ１０２および通信部１０１を介して制御部１１に送信し、ステップＳ８３に進む。ＩＰ変換回路２２は、ステップＳ８３において制御部１１からフィードバック処理の指令があるか否かを判断し、フィードバック処理の指令があると判断した場合、ステップＳ８４において、ステップＳ８２において実行されたＩＰ変換処理の具体的な結果などについてのフィードバック情報を、制御ポート１０３、アドレスデコーダ１０２および通信部１０１を介して制御部１１に送信し、ステップＳ８５に進む。
【０１６３】
ステップＳ８３において、制御部１１からフィードバック処理の指令がないと判断された場合、ＩＰ変換回路２２は、ステップＳ８４の処理をスキップし、ステップＳ８５に進む。ステップＳ８５において、ＩＰ変換回路２２は、ステップＳ８２においてＩＰ変換処理された信号を、後段の信号処理部１３および信号処理部２０１に出力し、ＩＰ変換処理を終了し、図２１のステップＳ３０３に戻る。
【０１６４】
一方、ステップＳ８１において、制御ポート１０３からＩＰ変換を制御するための制御パラメータを受信していないと判断された場合、ＩＰ変換回路２２は、ステップＳ８２乃至Ｓ８４の処理をスキップし、ステップＳ８５に進み、ＩＰ変換処理されていない信号を、後段の信号処理部１３および信号処理部２０１に出力し、ＩＰ変換処理を終了し、図２１のステップＳ３０３に戻る。
【０１６５】
信号処理部１３のＲＧＢ色変換回路３２は、図２１のステップＳ３０３において、信号処理部１２より入力信号が入力されるまで待機しており、信号処理部１２より入力信号が入力されたと判断した場合、ステップＳ３０４に進み、入力信号に、ＲＧＢ色変換処理を実行し、その信号を、信号処理部１４Ａに出力する。なお、ステップＳ３０４のＲＧＢ色変換処理は、図１３のフローチャートを参照して上述したＲＧＢ色変換処理と基本的に同様の処理を行うため、その詳細な説明は、適宜省略するが、図１３のステップＳ９１において、ＲＧＢ色変換回路３２は、制御ポート１１３乃至１１５から明るさ調整を制御するための制御パラメータを受信したか否かを判断し、制御ポート１１３乃至１１５から制御パラメータを受信したと判断した場合、ステップＳ９２に進む。
【０１６６】
ステップＳ９２において、ＲＧＢ色変換回路３２は、図２１のステップＳ３０３において入力された信号を、ステップＳ９１において受信された明るさ調整を制御するための制御パラメータに基づいて、明るさを調整するためのＲＧＢ色変換処理を実行する。そして、ＲＧＢ色変換回路３２は、ＲＧＢ色変換処理を実行したというステータス情報を、制御ポート１１３乃至１１５、アドレスデコーダ１１２および通信部１１１を介して制御部１１に送信し、ステップＳ９３に進む。
【０１６７】
ＲＧＢ色変換回路３２は、ステップＳ９３において制御部１１からフィードバック処理の指令があるか否かを判断し、フィードバック処理の指令があると判断した場合、ステップＳ９４において、ステップＳ９２において実行されたＲＧＢ色変換処理の具体的な結果などについてのフィードバック情報を、制御ポート１１３乃至１１５、アドレスデコーダ１１２および通信部１１１を介して制御部１１に送信し、ステップＳ９５に進む。ステップＳ９３において、制御部１１からフィードバック処理の指令がないと判断された場合、ＲＧＢ色変換回路３２は、ステップＳ９４の処理をスキップし、ステップＳ９５に進む。ステップＳ９５において、ＲＧＢ色変換回路３２は、ステップＳ９２においてＲＧＢ色変換処理された信号を、後段の信号処理部１４Ａに出力し、ＲＧＢ色変換処理を終了し、図２１のステップＳ３０５に戻る。
【０１６８】
一方、ステップＳ９１において、制御ポート１１３乃至１１５から明るさ調整を設定するための制御パラメータを受信していないと判断された場合、ＲＧＢ色変換回路３２は、ステップＳ９２乃至Ｓ９４の処理をスキップし、ステップＳ９５に進み、ＲＧＢ色変換処理されていない信号を、後段の信号処理部１４Ａに出力し、ＲＧＢ色変換処理を終了し、図２１のステップＳ３０５に戻る。
【０１６９】
信号処理部２０１のＹＵＶ変換回路２５２は、図２１のステップＳ３０５において、信号処理部１２より入力信号が入力されるまで待機しており、信号処理部１２より入力信号が入力されたと判断した場合、ステップＳ３０６に進み、入力信号に、ＹＵＶ変換処理を実行し、その信号を、信号処理部１４Ａに出力する。なお、図２１において、このステップＳ３０５およびＳ３０６の処理は、説明の便宜上、ステップＳ３０３およびＳ３０４の後の処理として説明されるが、実際には、ステップＳ３０３およびＳ３０４の処理と並列で実行される処理である。このＹＵＶ変換処理を、図２２のフローチャートを参照して説明する。
【０１７０】
例えば、ユーザにより、操作部２０３を構成するキーのうち、明るさ調整を設定するための操作キーＢが操作された場合、上述した図１０のステップＳ２２において、制御部１１は、指示信号に対応する制御ポート２６３に制御パラメータを送信してくる。図２２のステップＳ３３１において、ＹＵＶ変換回路２５２は、制御ポート２６３から明るさ調整を制御するための制御パラメータを受信したか否かを判断し、制御ポート２６３から制御パラメータを受信したと判断した場合、ステップＳ３３２に進む。
【０１７１】
ステップＳ３３２において、ＹＵＶ変換回路２５２は、図２１のステップＳ３０５において入力された信号を、ステップＳ３３１において受信された明るさ調整を制御するための制御パラメータに基づいて、明るさを調整するためのＹ信号変換処理を実行する。具体的には、ＹＵＶ変換回路２５２は、入力信号をＹ信号、Ｕ信号およびＶ信号に分解し、Ｙ信号に対して明るさを調整するための変換処理を実行し、その後、それらの信号を合成する。そして、ＹＵＶ変換回路２５２は、明るさ調整のＹＵＶ変換処理を実行したというステータス情報を、制御ポート２６３、アドレスデコーダ２６２および通信部２６１を介して制御部１１に送信する。
【０１７２】
また、制御部１１は、上述した図１０のステップＳ２５において、処理のフィードバック処理の指令を、通信部２６１、アドレスデコーダ２６２および制御ポート２６３を介して送信してくるので、ＹＵＶ変換回路２５２は、ステップＳ３３３において制御部１１からフィードバック処理の指令があるか否かを判断し、フィードバック処理の指令があると判断した場合、ステップＳ３３４において、ステップＳ３３２において実行されたＹ信号変換処理の具体的な結果などについてのフィードバック情報を、制御ポート２６３、アドレスデコーダ２６２および通信部２６１を介して制御部１１に送信し、ステップＳ３３５に進む。
【０１７３】
ステップＳ３３３において、制御部１１からフィードバック処理の指令がないと判断された場合、ＹＵＶ変換回路２５２は、ステップＳ３３４の処理をスキップし、ステップＳ３３５に進む。ステップＳ３３５において、ＹＵＶ変換回路２５２は、ステップＳ３３２においてＹ信号変換処理された信号を、後段の信号処理部１４Ａに出力し、ＹＵＶ変換処理を終了し、図２１のステップＳ３０７に戻る。
【０１７４】
一方、ステップＳ３３１において、制御ポート２６３から明るさ調整を設定するための制御パラメータを受信していないと判断された場合、ＹＵＶ変換回路２５２は、ステップＳ３３２乃至Ｓ３３４の処理をスキップし、ステップＳ３３５に進み、ＹＵＶ変換処理されていない信号を、後段の信号処理部１４Ａに出力し、ＹＵＶ変換処理を終了し、図２１のステップＳ３０７に戻る。
【０１７５】
信号処理部１４Ａのスイッチ２１１は、図２１のステップＳ３０７において、信号処理部１３および信号処理部２０１より入力信号が入力されるまで待機しており、信号処理部１３および信号処理部２０１より入力信号が入力されたと判断した場合、ステップＳ３０８に進む。例えば、ユーザにより、操作部２０３を構成するキーのうち、スイッチ２１１を選択するための操作キーＰが操作された場合、上述した図１０のステップＳ２２において、制御部１１は、指示信号に対応する制御ポート２８３に制御パラメータを送信してくる。
【０１７６】
ステップＳ３０８において、スイッチ２１１は、制御ポート２８３からスイッチ２１１を選択するための制御パラメータを受信し、受信した制御パラメータに基づいて、信号処理部１３および信号処理部２０１のどちらかからの入力信号を選択して、高画質信号処理回路４２Ａに出力し、ステップＳ３０９に進む。なお、このときのスイッチ２１１による選択結果も制御部１１にフィードバック処理できるようにしてもよい。これにより、ＲＧＢ色変換またはＹＵＶ変換のどちらの明るさ調整がユーザに好まれるか、または、最適であるかなどの解析することもできる。
【０１７７】
信号処理部１４Ａの高画質信号処理回路４２Ａは、図２１のステップＳ３０９において、スイッチ２１１より入力信号が入力されるまで待機しており、スイッチ２１１より入力信号が入力されたと判断した場合、ステップＳ３１０に進み、入力信号に、解像度変換、ノイズ除去、およびズーム機能の高画質信号処理を実行し、その信号を、図示せぬ後段に出力する。
【０１７８】
ステップＳ３１０の高画質信号処理は、図１４のフローチャートを参照して上述した高画質信号処理と基本的に同様の処理を行うため、その詳細な説明は、適宜省略するが、例えば、ユーザにより、操作部１５を構成するキーのうち、解像度を設定するための操作キーＣ、ノイズ除去を設定するための操作キーＤ、ズーム機能のズーム倍率を設定するための操作キーＬ、ズーム起点のｘ座標を設定するための操作キーＭ、および、ズーム起点のｙ座標を設定するための操作キーＮが操作された場合、上述した図１０のステップＳ２２において、制御部１１は、指示信号に対応する制御ポート１２３および１２４、２８４乃至２８６に制御パラメータを送信してくる。
【０１７９】
図１４のステップＳ１０１において、高画質信号処理回路４２Ａは、制御ポート１２３および１２４、２８４乃至２８６から各設定するための制御パラメータを受信したか否かを判断し、制御ポート１２３および１２４、２８４乃至２８６から制御パラメータを受信したと判断した場合、ステップＳ１０２に進む。なお、ステップＳ１０１においては、制御ポート２８４乃至２８６からの制御パラメータが受信されていない場合、ステップＳ１０２において、図１の高画質信号処理回路４２が実行する処理と同様なズーム機能がない場合の高画質信号処理が実行されるようにしてもよい。
【０１８０】
ステップＳ１０２において、高画質信号処理回路４２Ａは、図２１のステップＳ３０９において入力された信号を、ステップＳ１０１において受信された解像度変換、ノイズ除去、ズーム機能を設定するための制御パラメータに基づいて、解像度変換、ノイズ除去、ズーム機能の高画質信号処理を実行する。
【０１８１】
具体的には、例えば、ズーム機能の制御パラメータがある場合には、高画質信号処理回路４２Ａは、ズーム機能するための制御パラメータに基づいて、指定された範囲において、指定された倍率で、ノイズ除去を設定するための制御パラメータに基づいて、入力信号のノイズの定常性や非定常性の特徴量を抽出し、その特徴量をクラス分類し、分類されたクラスに応じて、適応予測することにより、入力信号のノイズを除去する。さらに高画質信号処理回路４２Ａは、ズーム機能するための制御パラメータに基づいて、指定された範囲において、指定された倍率で、解像度を設定するための制御パラメータに基づいて、入力信号の動きベクトルの特徴量を抽出し、その特徴量をクラス分類し、分類されたクラスに応じて、適応予測することにより、時間方向（フレーム数）と空間方向（画素数、ライン数）の解像度変換および信号の創造を行い、入力信号を、より高画質な信号にする信号処理を実行する。そして、高画質信号処理回路４２Ａは、高画質信号処理を実行したというステータス情報を、制御ポート１２３および１２４、２８４乃至２８６アドレスデコーダ１２２および通信部１２１を介して制御部１１に送信する。
【０１８２】
また、制御部１１は、上述した図１０のステップＳ２５において、処理のフィードバック処理の指令を、通信部１２１、アドレスデコーダ１２２および制御ポート１２３および１２４、２８４乃至２８６を介して送信してくるので、高画質信号処理回路４２Ａは、ステップＳ１０３において制御部１１からフィードバック処理の指令があるか否かを判断し、フィードバック処理の指令があると判断した場合、ステップＳ１０４において、ステップＳ１０２において実行された高画質信号処理の具体的な結果などについてのフィードバック情報を、制御ポート１２３および１２４、２８４乃至２８６、アドレスデコーダ１２２および通信部Ｉ／Ｆ１２１を介して制御部１１に送信し、ステップＳ１０５に進む。
【０１８３】
ステップＳ１０３において、制御部１１からフィードバック処理の指令がないと判断された場合、高画質信号処理回路４２Ａは、ステップＳ１０４の処理をスキップし、ステップＳ１０５に進む。ステップＳ１０５において、高画質信号処理回路４２Ａは、ステップＳ１０２において高画質信号処理された信号を、図示せぬ後段に出力し、高画質信号処理を終了し、図２１のステップＳ３１０に戻り、テレビジョン受像機１における信号処理を終了する。
【０１８４】
一方、ステップＳ１０１において、制御ポート１２３および１２４、２８４乃至２８６から高画質信号処理を設定するための制御パラメータを受信していないと判断された場合、高画質信号処理回路４２Ａは、ステップＳ１０２乃至Ｓ１０４の処理をスキップし、ステップＳ１０５に進み、高画質信号処理されていない信号を、図示せぬ後段に出力し、高画質信号処理を終了し、図２１に戻り、テレビジョン受像機１における信号処理を終了する。なお、図示せぬ後段においては、信号処理部１２、１３、１４Ａおよび２０１において信号処理された信号が表示制御され、図示せぬ他のＬＣＤに出力される。
【０１８５】
以上のように、制御部１１は、テレビジョン受像機１の起動時、またはテレビジョン受像機１の構成に変化が起こったなど、制御ポートの物理的な位置がわからなくなった場合に、ポート属性情報の初期化処理を実行し、テレビジョン受像機１の制御構成を確立してから、テレビジョン受像機１の各信号処理部を制御するので、テレビジョン受像機１においては、制御部１１の設定をわざわざ変更しなくても、図１６に示されるように、信号処理群を簡単に再構成することができる。
【０１８６】
これにより、テレビジョン受像機１の信号処理群の構成を、図２３乃至図２５に示される構成に、再構成することも可能である。
【０１８７】
図２３乃至図２５は、テレビジョン受像機１の信号処理部群を再構成した他の構成例の簡略図を示している。
【０１８８】
図２３の例においては、テレビジョン受像機１は、図１５の信号処理部１２乃至１４の順に並んで構成された信号処理部群が形成された基板が、信号処理部１２、信号処理部１４および信号処理部１３の順に並べて形成された基板に入れ替られて、再構成されている。
【０１８９】
制御部１１は、上述した図８のステップＳ１において、ポート属性情報の初期化処理を実行し、図２３のテレビジョン受像機１の制御構成を確立してから、図８のステップＳ２において、テレビジョン受像機１の各信号処理部を制御する。これにより、信号処理部１２、１４、および１３は、制御部１１による制御のもと、次のような信号処理を実行する。
【０１９０】
信号処理部１２は、図示せぬチューナから入力される入力信号をＩＰ変換し、ＩＰ変換された信号を、信号処理部１４に出力する。信号処理部１４は、信号処理部１２から入力される信号を高画質信号処理を実行し、高画質信号処理が実行された信号を、信号処理部１３に出力する。信号処理部１３は、信号処理部１４から入力される入力信号をＲＧＢ色変換し、ＲＧＢ色変換された信号を、図示せぬ後段に出力する。図示せぬ後段においては、信号処理部１２、１４、１３の順に信号処理された信号が表示制御され、図示せぬ他のＬＣＤに出力される。
【０１９１】
以上ように、図１５の情報処理装置１は、上述したような図２３の情報処理装置１として簡単に再構成される。
【０１９２】
図２４の例においては、情報処理装置１は、図１５の信号処理部１２乃至１４の順に並んで構成された信号処理部群が形成された基板が、図１６の信号処理部１２、１３、１４Ａおよび２０１に、信号処理部３０１乃至３０４が追加され、形成された基板に入れ替えられて、再構成されている。
【０１９３】
制御部１１は、上述した図８のステップＳ１において、ポート属性情報の初期化処理を実行し、図２４のテレビジョン受像機１の制御構成を確立してから、図８のステップＳ２において、テレビジョン受像機１の各信号処理部を制御する。これにより、信号処理部１２、１３、１４Ａおよび２０１並びに信号処理部３０１乃至３０４は、制御部１１による制御のもと、次のような信号処理を実行する。
【０１９４】
信号処理部１２は、図示せぬチューナから入力される入力信号をＩＰ変換し、ＩＰ変換された信号を、信号処理部１３、２０１および３０１に出力する。
【０１９５】
信号処理部１３は、信号処理部１２から入力される入力信号をＲＧＢ色変換し、ＲＧＢ色変換された信号を、信号処理部１４Ａ、３０２および３０３に出力する。信号処理部２０１は、信号処理部１２から入力される入力信号をＹＵＶ変換し、ＹＵＶ変換された信号を、信号処理部１４Ａ、３０２および３０３に出力する。信号処理部３０１は、信号処理部１２から入力される入力信号を所定の信号処理を実行し、所定の信号処理が実行された信号を、信号処理部１４Ａ、３０２および３０３に出力する。
【０１９６】
信号処理部１４Ａは、内蔵するスイッチ２１１により信号処理部１３、２０１および３０１から入力される信号を選択し、選択した信号に高画質信号処理を実行し、高画質信号処理が実行された信号を、信号処理部３０４に出力する。信号処理部３０２は、図示せぬ内蔵するスイッチにより信号処理部１３、２０１および３０１から入力される信号を選択し、選択した信号に所定の信号処理を実行し、所定の信号処理が実行された信号を、信号処理部３０４に出力する。信号処理部３０３は、図示せぬ内蔵するスイッチにより信号処理部１３、２０１および３０１から入力される信号を選択し、選択した信号に所定の信号処理を実行し、所定の信号処理が実行された信号を、信号処理部３０４に出力する。
【０１９７】
信号処理部３０４は、図示せぬ内蔵するスイッチにより信号処理部部１４Ａ、３０２および３０３から入力される信号を選択し、選択した信号に所定の信号処理を実行し、所定の信号処理が実行された信号を、図示せぬ後段に出力する。図示せぬ後段においては、信号処理部１２、１３、１４Ａおよび２０１並びに信号処理部３０１乃至３０４により信号処理された信号が表示制御され、図示せぬ他のＬＣＤに出力される。
【０１９８】
以上のように、図１５の情報処理装置１は、上述したような図２４の情報処理装置１として簡単に再構成される。
【０１９９】
図２５の例においては、情報処理装置１は、図１５の信号処理部１２乃至１４の順に並んで構成された信号処理部群が形成された基板が、図２４のテレビジョン受像機１の信号処理部１２、１３、１４Ａおよび２０１、信号処理部３０１乃至３０４の接続構成が変更されて形成された基板に入れ替えられ、再構成されている。なお、図２５において、制御部１１からの大きい矢印は、制御部１１からの制御パラメータが、各信号処理部１２、１３、１４Ａおよび２０１、信号処理部３０１乃至３０４に入出力されることを示している。
【０２００】
制御部１１は、上述した図８のステップＳ１において、ポート属性情報の初期化処理を実行し、図２４のテレビジョン受像機１の制御構成を確立してから、図８のステップＳ２において、テレビジョン受像機１の各信号処理部を制御する。これにより、信号処理部１３、１４Ａ、２０１、３０１乃至３０３は、制御部１１による制御のもと、次のような信号処理を実行する。
【０２０１】
図２５の例においては、チューナより信号処理部１２に入力された入力信号は、信号処理部１３、１４Ａ、２０１、３０１乃至３０３で所定の処理が実行され、最終的に信号処理部３０４に出力されればよく、この信号処理部１２と信号処理部３０４との間の処理（すなわち、信号処理部１３、１４Ａ、２０１、３０１乃至３０３）は、どのような順番にでも構成することができることを示している。すなわち、どのような順番に構成したとしても、図１５の情報処理装置１は、図２５の情報処理装置１として簡単に再構成されることを示している。
【０２０２】
例えば、一例としては、信号処理部１２、信号処理部１３、信号処理部３０２、信号処理部１４Ａ、信号処理部３０３、信号処理部２０１、信号処理部３０１および信号処理部３０４の順に信号処理が行われるように構成に再構成されていても、または、信号処理部１２の処理の後、信号処理部１３および信号処理部３０１の並列処理、信号処理部３０２の処理、信号処理部２０１および信号処理部３０３の並列処理、並びに、信号処理部１４Ａおよび信号処理部３０４の並列処理の順に信号処理が行われるように再構成されていても、制御部１１によりポート属性情報の初期化処理が実行されるので、図１５の情報処理装置１は、図２５の情報処理装置１として簡単に再構成されることができる。
【０２０３】
以上のように、制御部１１が各信号処理部のポート属性情報を取得し、情報処理装置１全体の制御構成を簡単に把握することができるので、信号処理部群だけの変更が可能になる。これにより、テレビジョン受像機１（制御部１１）自体の限界で、信号処理に与える制約がなくなり、複数の信号処理部を持つ情報処理装置１において、一旦構成された信号処理部の処理内容の変更、または信号処理部の処理順番の変更が簡単にできるようになる。
【０２０４】
なお、上記説明においては、テレビジョン受像機１において、映像信号を信号処理する場合を説明したが、もちろん、音声信号を信号処理するようにしてもよい。さらに、本発明は、映像信号または音性信号の信号処理を実行する他の信号処理装置にも適用される。
【０２０５】
上述した一連の処理は、ハードウェアにより実行させることもできるが、ソフトウェアにより実行させることもできる。この場合、例えば、テレビジョン受像機１は、図２６に示されるようなテレビジョン受像機５０１により構成される。
【０２０６】
図２６において、ＣＰＵ（Ｃｅｎｔｒａｌ  Ｐｒｏｃｅｓｓｉｎｇ  Ｕｎｉｔ）５１１は、ＲＯＭ（Ｒｅａｄ  Ｏｎｌｙ  Ｍｅｍｏｒｙ）５１２に記憶されているプログラム、または、記憶部５１８からＲＡＭ（Ｒａｎｄｏｍ  Ａｃｃｅｓｓ  Ｍｅｍｏｒｙ）５１３にロードされたプログラムに従って各種の処理を実行する。ＲＡＭ５１３にはまた、ＣＰＵ５１１が各種の処理を実行する上において必要なデータなどが適宜記憶される。
【０２０７】
ＣＰＵ５１１、ＲＯＭ５１２、およびＲＡＭ５１３は、バス５１４を介して相互に接続されている。このバス５１４にはまた、入出力インタフェース５１５も接続されている。
【０２０８】
入出力インタフェース５１５には、キーボード、マウスなどよりなる入力部５１６、ＣＲＴ（Ｃａｔｈｏｄｅ  Ｒａｙ  Ｔｕｂｅ），ＬＣＤ（Ｌｉｑｕｉｄ  Ｃｒｙｓｔａｌ  Ｄｉｓｐｌａｙ）などよりなるディスプレイ、並びにスピーカなどよりなる出力部５１７、ハードディスクなどより構成される記憶部５１８、モデム、ターミナルアダプタなどより構成される通信部５１９が接続されている。通信部５１９は、図示せぬネットワークを介しての通信処理を行う。
【０２０９】
入出力インタフェース５１５にはまた、必要に応じてドライブ５２０が接続され、磁気ディスク５２１、光ディスク５２２、光磁気ディスク５２３、或いは半導体メモリ５２４などが適宜装着され、それから読み出されたコンピュータプログラムが、必要に応じて記憶部５１８にインストールされる。
【０２１０】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０２１１】
この記録媒体は、図２６に示すように、装置本体とは別に、ユーザにプログラムを提供するために配布される、プログラムが記録されている磁気ディスク５２１（フレキシブルディスクを含む）、光ディスク５２２（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク５２３（ＭＤ（Ｍｉｎｉ−Ｄｉｓｋ）（商標）を含む）、もしくは半導体メモリ５２４などよりなるパッケージメディアにより構成されるだけでなく、装置本体に予め組み込まれた状態でユーザに提供される、プログラムが記録されているＲＯＭ５１２や、記憶部５１８に含まれるハードディスクなどで構成される。
【０２１２】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【０２１３】
【発明の効果】
以上の如く、本発明によれば、複数の信号処理の順序または組み換えを簡単に変更することができる。
【図面の簡単な説明】
【図１】本発明を適用したテレビジョン受像機の構成例を示すブロック図である。
【図２】図１の信号処理部の詳細な構成例を示すブロック図である。
【図３】図２のポート属性情報を説明する図である。
【図４】図１の信号処理部の詳細な他の構成例を示すブロック図である。
【図５】図４のポート属性情報を説明する図である。
【図６】図１の信号処理部の詳細な他の構成例を示すブロック図である。
【図７】図６のポート属性情報を説明する図である。
【図８】図１の制御部の制御処理を説明するフローチャートである。
【図９】図８のステップＳ１のポート属性情報の初期化処理を説明するフローチャートである。
【図１０】図８のステップＳ２の通常制御処理を説明するフローチャートである。
【図１１】図１の信号処理装置の信号処理を説明するフローチャートである。
【図１２】図１１のステップＳ６２のＩＰ変換処理を説明するフローチャートである。
【図１３】図１１のステップＳ６４のＲＧＢ色変換処理を説明するフローチャートである。
【図１４】図１１のステップＳ６６の高画質信号処理を説明するフローチャートである。
【図１５】図１のテレビジョン受像機の簡略化した構成例を示すブロック図である。
【図１６】図１５のテレビジョン受像機を再構成したテレビジョン受像機の構成例を示すブロック図である。
【図１７】図１６の信号処理部の詳細な構成例を示すブロック図である。
【図１８】図１７のポート属性情報を説明する図である。
【図１９】図１６の信号処理部の詳細な他の構成例を示すブロック図である。
【図２０】図１９のポート属性情報を説明する図である。
【図２１】図１６の信号処理装置の信号処理を説明するフローチャートである。
【図２２】図２１のステップＳ３０６のＹＵＶ変換処理を説明するフローチャートである。
【図２３】図１５のテレビジョン受像機を再構成したテレビジョン受像機の他の構成例を示すブロック図である。
【図２４】図１５のテレビジョン受像機を再構成したテレビジョン受像機のさらに他の構成例を示すブロック図である。
【図２５】図１５のテレビジョン受像機を再構成したテレビジョン受像機の他の構成例を示すブロック図である。
【図２６】本発明を適用したテレビジョン受像機の他の構成例を示すブロック図である。
【符号の説明】
１  テレビジョン受像機，１１  制御部，１２乃至１４  信号処理部，１５  操作部，１６  表示部，２１  制御Ｉ／Ｆ，２２  ＩＰ変換回路，３１  制御Ｉ／Ｆ，３２  ＲＧＢ色変換回路，４１  制御Ｉ／Ｆ，４２  高画質信号処理回路，１０１  通信部，１０２  アドレスデコーダ，１０３  制御ポート，１１１  通信部，１１２  アドレスデコーダ，１１３乃至１１５  制御ポート，１２１  通信部，１２２  アドレスデコーダ，１２３，１２４  制御ポート
【図１】
2004247992.tif 000003
【図２】
2004247992.tif 000004
【図３】
2004247992.tif 000005
【図４】
2004247992.tif 000006
【図５】
2004247992.tif 000007
【図６】
2004247992.tif 000008
【図７】
2004247992.tif 000009
【図８】
2004247992.tif 000010
【図９】
2004247992.tif 000011
【図１０】
2004247992.tif 000012
【図１１】
2004247992.tif 000013
【図１２】
2004247992.tif 000014
【図１３】
2004247992.tif 000015
【図１４】
2004247992.tif 000016
【図１５】
2004247992.tif 000017
【図１６】
2004247992.tif 000018
【図１７】
2004247992.tif 000019
【図１８】
2004247992.tif 000020
【図１９】
2004247992.tif 000021
【図２０】
2004247992.tif 000022
【図２１】
2004247992.tif 000023
【図２２】
2004247992.tif 000024
【図２３】
2004247992.tif 000025
【図２４】
2004247992.tif 000026
【図２５】
2004247992.tif 000027
【図２６】
2004247992.tif 000028